(57)【要約】本発明は、その製品が、脂質相および水相がそれに適用された、払拭物のような、吸収性材料、とりわけ不織材料のシートを含んで成り、かつ後に乾燥された、清浄化用およびその他の適用のための製品に関する。本発明は更にこれらの製品の製法および使用に関する。【特許請求の範囲】
【請求項１】
水相および脂質相がそれに適用された多孔性もしくは吸収性シートを含んで成り、かつ乾燥された製品。
【請求項２】
脂質相の融点もしくは融解範囲が２５℃を越えるかもしくはそれに等しい、請求項１記載の製品。
【請求項３】
脂質相の融点もしくは融解範囲が３２〜４０℃の範囲内にある、請求項２記載の製品。
【請求項４】
脂質相がモノ−、ジ−もしくはトリグリセリドを含んで成る、請求項１〜３のいずれかに記載の製品。
【請求項５】
脂質相が天然の油から誘導されたもしくはそれらの中に存在するモノ−、ジ−もしくはトリグリセリドを含んで成る、請求項４記載の製品。
【請求項６】
脂質相が、その脂肪酸が１２〜２４、好ましくは１６〜２０炭素原子を含有する脂肪酸モノ−、ジ−もしくはトリグリセリドを含んで成る、請求項４記載の製品。
【請求項７】
脂質相がグリセリルステアレート、グリセリルオレエート、グリセリルラウレート、グリセリルミリステート、ココグリセリド、または水素化パーム油グリセリド、水素化ヒマシ油もしくは水素化菜種油から選択されるトリグリセリドを含んで成る、請求項４記載の製品。
【請求項８】
脂質相が、脂質相を形成している成分の総量の少なくとも５０％、好ましくは少なくとも７０％、より好ましくは少なくとも９０％（ｗ／ｗ）の量のモノ−、ジ−もしくはトリグリセリドを含んで成る、請求項４〜７のいずれかに記載の製品。
【請求項９】
脂質相が脂肪アルコールを含有する、請求項１〜３のいずれかに記載の製品。
【請求項１０】
脂質相がＣ１２−Ｃ５０−脂肪アルコール、とりわけＣ１２−Ｃ２４−脂肪アルコールを含有する、請求項９記載の製品。
【請求項１１】
脂肪アルコールがミリスチルアルコール、１−ペンタデカノール、セチルアルコール、ラウリルアルコール、オレイルアルコール、パルミチルアルコール、１−ヘプタデカノール、ステアリルアルコール、セテアリルアルコール、１−ノナデカノール、アラキジルアルコール、１−ヘンエイコサノール、ベヘニルアルコール、ブラシジルアルコール、リグノセリルアルコール、セリルアルコールもしくはミリシルアルコールおよびＣ１６／Ｃ１８−ゲルベ（Ｇｕｅｒｂｅｔ）アルコールから選択される、請求項１０記載の製品。
【請求項１２】
脂肪アルコールが１〜４０％、好ましくは１〜３０％（ｗ／ｗ）、より好ましくは１〜２０％（ｗ／ｗ）、更により好ましくは１〜１０％（ｗ／ｗ）の範囲にある、脂質相の総重量に対する量で脂質相中に存在する、請求項９〜１１のいずれかに記載の製品。
【請求項１３】
脂質相が脂肪酸を含有する、請求項１〜３のいずれかに記載の製品。
【請求項１４】
脂肪酸がＣ１４−Ｃ４０−脂肪酸、もしくはとりわけＣ１６−Ｃ３０−脂肪酸である、請求項１３記載の製品。
【請求項１５】
脂肪酸がミリスチン酸、ペンタデカン酸、パルミチン酸、マルガリン酸、ステアリン酸、ノナデカン酸、アラキン酸、ベヘン酸、リグノセリン酸、セロチン酸、メリシン酸、エルカ酸、エレオステアリン酸、オレイン酸、リノレン酸、ラウリン酸およびヒドロキシ−置換脂肪酸から選択される、請求項１３記載の製品。
【請求項１６】
脂質相の総重量に対する、脂質相中に存在する脂肪酸の総量が１〜３０％（ｗ／ｗ）、好ましくは１〜２０％（ｗ／ｗ）、より好ましくは１〜１０％（ｗ／ｗ）の範囲内にある、請求項１３〜１５のいずれかに記載の製品。
【請求項１７】
脂質相が１種もしくはそれ以上の下記に定義されるような成分（ａ）、（ｂ）、（ｃ）、（ｄ）、（ｅ）もしくは（ｆ）：
（ａ）少なくとも１〜５０％（ｗ／ｗ）、とりわけ少なくとも１〜１０％の油状もしくはワックス状成分、
（ｂ）０．１〜５％（ｗ／ｗ）の少なくとも１種の有効成分、
（ｃ）１〜１０％（ｗ／ｗ）の少なくとも１種の油、
（ｄ）０．１〜１０％（ｗ／ｗ）の少なくとも１種の乳化剤、
（ｅ）５〜９０％（ｗ／ｗ）の更なるワックス状成分、
（ｆ）０〜５％（ｗ／ｗ）の水、
を含有する、請求項１〜３のいずれかに記載の製品。
【請求項１８】
脂質相が（ａ）〜（ｆ）のすべての成分を含有する、請求項１７記載の製品。
【請求項１９】
成分（ａ）がＣ１４−Ｃ３０−ジアルキルエーテル、Ｃ１４−Ｃ３０−ジアルキルカーボネート、Ｃ４−Ｃ３４−ジカルボン酸もしくはＣ１２−Ｃ３０−ヒドロキシ脂肪アルコールまたはそれらの混合物から選択される油状もしくはワックス状成分である、請求項１７または１８記載の製品。
【請求項２０】
脂質相がジアルキル（エン）エーテルもしくは−カーボネート、ジカルボン酸もしくはヒドロキシ脂肪アルコールまたはそれらの組み合わせ物を含んで成る、請求項１〜３のいずれかに記載の製品。
【請求項２１】
脂質相もしくは水相が１種もしくはそれ以上の有効物質を含有する、請求項１〜２０のいずれかに記載の製品。
【請求項２２】
１種もしくは複数の有効物質が抗微生物剤、例えば抗バクテリア剤および抗カビ剤、抗炎症剤、抗刺激剤、抗掻痒剤、制汗剤である、請求項２１記載の製品。
【請求項２３】
脂質相もしくは水相が少なくとも１種の加湿剤、制汗剤、皮膚手入れ成分、植物抽出物、ビタミン、香油、染料、日焼け止めフィルター、屈水性誘発物質もしくは自己日焼け剤（ｓｅｌｆ−ｔａｎｎｉｎｇ  ａｇｅｎｔ）を含有する、請求項１〜２０のいずれかに記載の製品。
【請求項２４】
脂質相もしくは水相が少なくとも１種の乳化剤を含有する、請求項１〜２０のいずれかに記載の製品。
【請求項２５】
脂質相が少なくとも１種の過脂肪化剤、増粘剤、カチオンポリマー、アニオンポリマー、双イオン性ポリマー、両性ポリマー、コンシステンシー付与剤、抗酸化剤を含有する、請求項１〜２０のいずれかに記載の製品。
【請求項２６】
脂質相もしくは水相が防虫剤、日焼け止めフィルター、粉剤または剥離剤を含有する、請求項１〜２０のいずれかに記載の製品。
【請求項２７】
払拭物である請求項１〜２６のいずれかに記載の製品。
【請求項２８】
払拭物が不織払拭物である、請求項２７記載の製品。
【請求項２９】
シートを脂質相とそして水相と順次にもしくは同時に接触させることを含んで成り、そして更なる乾燥段階を更を含んで成る、請求項１〜２８のいずれかに記載の製品の製法。
【請求項３０】
最初にシートの表面に室温より高い融点もしくは融解範囲を有する脂質相が適用され、次に水相が適用される、請求項２９記載の方法。
【請求項３１】
水相が噴霧、滴下、浸漬もしくは浴中の走行により適用され、そして脂質相が噴霧、接触、印刷もしくは、シートと、スリットノズルを有する適用ヘッド間に直接的接触が存在する直接接触法により適用される、請求項２９記載の方法。
【請求項３２】
水相が適用された後に乾燥段階が実施される、請求項３１記載の方法。
【請求項３３】
乾燥段階が熱気の適用あるいは湿ったシートをオーブン中または加熱もしくは加温された輸送ローラー上を誘導することを含んで成る、請求項２９〜３２のいずれかに記載の方法。
【請求項３４】
組み合わせた清浄化物および有効物質の適用物としての請求項１〜２８のいずれかに記載の製品の使用。
【請求項３５】
（ａ）脂質相が１種もしくは複数のＣ１２−２４脂肪酸トリグリセリド、Ｃ１２−Ｃ５０−脂肪アルコールまたは、ジアルキル（エン）エーテル、ジアルキル（エン）カーボネート、ジカルボン酸もしくはヒドロキシ脂肪アルコールまたはそれらの混合物から選択される少なくとも１種の油もしくはワックス成分を含んで成り、
（ｂ）脂質相が１０％未満の水分を含有し、そして
（ｃ）脂質相の融点もしくは融解範囲が２５℃より高いかもしくはそれに等しい、
ワックス状脂質相がそれに適用された、多孔性もしくは吸収性シートを含んで成る製品。
【請求項３６】
脂質相が１種もしくはそれ以上のＣ１６−２０脂肪酸トリグリセリドを含んで成り、脂質相中の１種もしくは複数のトリグリセリドの総量が脂質相を形成している成分の総量の少なくとも５０％、好ましくは少なくとも７０％、より好ましくは少なくとも９０％である、請求項３５記載の製品。
【請求項３７】
トリグリセリドがグリセリルステアレート、グリセリルオレエート、グリセリルラウレート、グリセリルミリステート、ココグリセリドまたは、水素化パーム油、水素化菜種油もしくは水素化ヒマシ油中に存在するグリセリドから選択される、請求項３６記載の製品。
【請求項３８】
脂質相が天然の脂肪、油もしくはワックスから誘導されるＣ１２−Ｃ２４−脂肪アルコールを含有し、脂質相の総重量に対する脂質相中に存在する脂肪アルコールの総量が１〜３０％（ｗ／ｗ）、好ましくは１〜２０％（ｗ／ｗ）、より好ましくは１〜１０％（ｗ／ｗ）の範囲内にある、請求項３５記載の製品。
【請求項３９】
脂肪アルコールがミリスチルアルコール、１−ペンタデカノール、セチルアルコール、ラウリルアルコール、オレイルアルコール、パルミチルアルコール、１−ヘプタデカノール、ステアリルアルコール、セテアリルアルコール、１−ノナデカノール、アラキジルアルコール、１−ヘンエイコサノール、ベヘニルアルコール、ブラシジルアルコール、リグノセリルアルコール、セリルアルコールもしくはミリシルアルコールおよびゲルベアルコールから選択される、請求項３８記載の製品。
【請求項４０】
脂質相がジアルキル（エン）エーテル、ジアルキル（エン）カーボネート、ジカルボン酸もしくはヒドロキシ脂肪アルコールまたはそれらの混合物から選択される少なくとも１種の油もしくはワックス成分を含有するワックス状組成物である、請求項３５記載の製品。
【請求項４１】
脂質相が更に１有効成分を含有する、請求項３５〜４０のいずれかに記載の製品。
【請求項４２】
脂質相が
（ａ）Ｃ１４−Ｃ３０−ジアルキルエーテル、Ｃ１４−Ｃ３０−ジアルキルカーボネート、Ｃ４−Ｃ３４−ジカルボン酸もしくはＣ１２−Ｃ３０−ヒドロキシ脂肪アルコールまたはそれらの混合物から選択される、少なくとも１〜５０％（ｗ／ｗ）、とりわけ少なくとも１〜１０％の油状もしくはワックス状成分、
（ｂ）０．１〜５％（ｗ／ｗ）の少なくとも１種の有効成分、
（ｃ）１〜１０％（ｗ／ｗ）の少なくとも１種の油、
（ｄ）０．１〜１０％（ｗ／ｗ）の少なくとも１種の乳化剤、
（ｅ）５〜９０％（ｗ／ｗ）の更なるワックス状成分、
（ｆ）０〜５％（ｗ／ｗ）の水
を含有する、請求項３５記載の製品。
【発明の詳細な説明】
【技術分野】
【０００１】
本発明は、脂質相および水相がそれに適用された払拭物（ｗｉｐｅ）のような、吸収性（ａｂｓｏｒｂｅｎｔ）材料、とりわけ不織材料（ｎｏｎ−ｗｏｖｅｎ  ｍａｔｅｒｉａｌ）のシートを含んで成りかつ、後に乾燥された、清浄化（ｃｌｅａｎｓｉｎｇ）およびその他の用途のための製品に関する。本発明は更に、これらの製品の製造および使用に関する。
【背景技術】
【０００２】
払拭用製品（ｗｉｐｅ  ｐｒｏｄｕｃｔｓ）は成人および赤子に広範な用途を見い出した重要な製品分野になってきた。その例には顔面もしくは身体清浄化用払拭物、皮膚の処置のための払拭物および皮膚の状態調節用払拭物が含まれる。過去数十年の間に、これらの用途に特に適する製品としていわゆる湿式払拭物が成功するようになってきた。これらの製品は具体的には不織布で製造されたシートを適当なローションで含浸させることにより製造される。
【０００３】
払拭物分野における最近の改良には布地、含浸液並びに製品の提供形態の改良が含まれる。
【０００４】
湿式払拭製品は当初は製紙技術に基づいた伝統的な不織材料から製造された（パルプ基材の製品）。これらの製品は良好に許容されたが、布地材料の柔らかさに欠けた。「スパンレース」不織法の導入により、伝統的な紙基材の製品に比較して柔らかさの点で優れた製品が提供された。これは主として（i）スパンレース法における長い柔らかい繊維（もっとも頻繁にはレーヨンおよびＰＥＴ／ＰＰもしくはこれらの繊維の混合物）の使用および（i i）スパンレース法期間に布地に結合剤が添加されないこと、による。
【０００５】
もう１つの改良は個々の払拭物の分配に関して利点を提供した、いわゆる「ポップアップ」法（’Ｐｏｐ−ｕｐ’  ｔｅｃｈｎｏｌｏｇｙ）の導入であった。
【０００６】
上記の外に、払拭物の基礎的な清浄化性に加えて皮膚手入れの恩典を提供するローションが開発された。１つのアプローチは単純な水性洗浄調製物に比較して、優れた穏やかさ、加湿性、保護性および皮膚の滑らかさのような有用な特性を与える水中油エマルジョン基剤のローションの導入であった。もう１つのアプローチは単純な水性調製物中への有効な皮膚手入れ用成分、例えばカモミレの取り込み、それにより沈静のような有効な特性を与えることを包含した。最近の湿式払拭製品はいまだそれらを水性ローションもしくは水中油エマルジョンのいずれかで含浸するというこれらのアプローチに基づいている。
【０００７】
しかし、これらのアプローチはいくつかの制約を有する。第１に、使用中にごく僅かの割合のローション（通常約１５％）が払拭物から放出されるのみである。従って、大量の比較的高価なローションが皮膚に配達されず、それは消費者に恩典を与えず、使用後に製品が廃棄されると無駄になる。これはまた、高価なしかしもっと有効な成分の使用を妨げる。第２に、調製の見地から、清浄化に有効な成分は通常、有効な皮膚手入れ物質と相容性ではないために、単一のローション中での清浄能および皮膚手入れの恩典の最適化には明らかな矛盾が存在する。
【０００８】
清浄化におけるもう１つの重要な因子は、幾つかの汚れは水相容性で、従って水基剤の調製物により容易に除去されるが、他方その他の汚れは脂質相容性で、従って、脂質もしくは油に基剤の調製物により適切に除去されることである。従って、汚れの完全な、有効な除去は払拭物中もしくはその上における水および油基剤の成分の存在をも同様に必要とする。
【０００９】
これは特に、私的清浄化のための払拭物および、とりわけ赤子および幼児に使用される払拭物に必要である。後者の場合には、湿式払拭物はおむつを取り替える時に肛門周囲部分を清浄化するために使用される。不適切な清浄化は私的不快をもたらすのみならずまた、おむつかぶれおよびその他の感染に関連した症状をもたらす。おむつかぶれを予防するもっとも有効な方法は皮膚を完全に清浄化して、原因と同定された微生物を除去することであることが示された。これらの微生物源はしばしばおむつを当てている間に赤子の皮膚上に留まる可能性がある便堆積物である。しかし、便堆積物は水溶性および油溶性物質の双方からなるために、おむつ部分からの便堆積物の完全な除去は水基剤および油基剤の物質双方の清浄化剤を必要とする。
【００１０】
従って、排泄物の堆積物を除去し、感染を起こすことができる微生物数を減少させる双方のために、赤子の皮膚を清浄化するための機序を提供することが本発明の目的である。
【００１１】
特許文献１は脂質中水エマルジョンがそれに適用された乾燥ティッシューを開示し、特許文献２は脂質中水エマルジョンで払拭物を選択的に覆う方法およびそのための装置に関する（特許文献１および特許文献２参照）。特許文献３は、その担体が、固化脂質相、その中に分散された極性相および乳化剤から成るエマルジョンを適用された異なる坪量をもつ２領域を含んで成る払拭物を開示している（特許文献３参照）。本分野におけるその他の先行技術は特許文献４、特許文献５、特許文献６、特許文献７、特許文献８および非特許文献１である（特許文献４、特許文献５、特許文献６、特許文献７、特許文献８および非特許文献１参照）。
【００１２】
清浄化製品およびとりわけ、製品の清浄化および皮膚手入れ特性を独立に最適化させ、同時に使用中の皮膚上への皮膚手入れ有効物の配達を改善する濡らすことができる払拭製品を提供することが本発明の１目的である。
【００１３】
使用中に皮膚上に１種もしくは複数の有効成分の改善された放出をもたらす製品を提供することが本発明の更なる目的である。油および水相容性の汚れを効率的に、完全に除去する清浄化手段としての使用のための製品を提供することが本発明のまた更なる目的である。
【００１４】
本発明のもう１つの目的は、清浄化および、便利で急速な適用を可能にし、運搬が容易であり、並びに製品中もしくはその上への成分のより容易でより均一な分配を可能にするその他の適用のための製品を提供することである。それらは更に、赤子および幼児への適用に便利でなければならない。
【００１５】
これらの目的は水相および脂質相を含有するシートを含んで成り、乾燥された、本発明に従う製品により達成される。伝統的な湿式払拭物は１相による布地の含浸に基づいていたが、本発明の製品は１シート上への明らかに異なる２種の相の適用に関する。両相は物理特性に関して異なり、シートの様々な部分上にもしくは一部に適用することができる。このアプローチが組み合わせた最適な清浄化能および優れた皮膚手入れ特性を可能にする。
【特許文献１】
国際公開第９６／１４８３５号パンフレット
【特許文献２】
国際公開第９９／２５９２３号パンフレット
【特許文献３】
国際公開第９９／０１５３６号パンフレット
【特許文献４】
国際公開第９５／３５４１１号パンフレット
【特許文献５】
国際公開第９５／３５４１２号パンフレット
【特許文献６】
国際公開第９５／１６８２４号パンフレット
【特許文献７】
国際公開第９７／３０２１６号パンフレット
【特許文献８】
ドイツ特許第３３  ０９  ５３０号明細書
【非特許文献１】
Ｒ．Ｅ．Ｍａｔｈｉｓ，Ｎｏｎｗｏｖｅｎｓ  Ｗｏｒｌｄ  １９９９，ｐｐ．５９−６５
【発明の開示】
【発明が解決しようとする課題】
【００１６】
本発明は脂質相および水相がそれに適用された多孔性もしくは吸収性シートを含んで成り、かつ次に乾燥された製品に関する。
【課題を解決するための手段】
【００１７】
異なる観点において、本発明は脂質相および水相がそれに適用された多孔性もしくは吸収性シートを含んで成り、かつ乾燥もしくは本質的に乾燥している製品に関する。「乾燥」は水分含量が非常に低い、すなわち１％未満であることを表わし、「本質的に乾燥」は製品が限定された水分、例えば製品の総重量の１０％未満、好ましくは８％未満、より好ましくは５％未満、更により好ましくは２％未満を含有することを意味する。
【００１８】
１態様において、本発明は、水相がそれに適用された多孔性もしくは吸収性シートを含んで成り、その後乾燥され、そして次にそれに脂質相が適用される製品に関する。
【００１９】
もう１つの態様において、本発明は、脂質相および水相がそれに適用された多孔性もしくは吸収性シートを含んで成り、その後に乾燥される製品に関する。本態様の具体的な特殊型（ｓｕｂｔｙｐｅ）は、水相がそれに適用され、そして次に脂質相がそれに適用された多孔性もしくは吸収性シートを含んで成り、その後乾燥される製品に関する。本態様のもう１つの特殊型は、脂質相がそれに適用され、次に水相が適用された多孔性もしくは吸収性シートを含んで成り、その後乾燥される、本明細書中に定義されたような製品に関する。
【００２０】
脂質相は好ましくは外気温で固体もしくは半固体であり、好ましくはシートの片面もしくは両面の表面もしくは表面の一部に存在する。前記シートはとりわけ不織材料、更にとりわけスパンレース（ｓｐｕｎｌａｃｅ）もしくはハイドロ−エンタングルメント（ｈｙｄｒｏ−ｅｎｔａｎｇｌｅｍｅｎｔ）法により製造される不織材料から製造される。
【００２１】
更なるアスペクトにおいて、本発明はワックス状脂質相がそれに適用された多孔性もしくは吸収性シートを含んで成る製品に関する。
【００２２】
あるいは、異なる観点において、本発明はワックス状脂質相がそれに適用された多孔性もしくは吸収性シートを含んで成り、かつ乾燥もしくは本質的に乾燥している製品に関する。「乾燥」は水分含量が非常に低い、すなわち１％未満であることを表わし、「本質的に乾燥」は製品が限定された量の水分、例えば製品の総重量の１０％未満、好ましくは８％未満、より好ましくは５％未満、更により好ましくは２％未満を含有することを意味する。
【００２３】
ワックス状脂質相はとりわけ１種もしくはそれ以上のトリグリセリド、更にとりわけＣ１２−２４脂肪酸トリグリセリド、または更にとりわけＣ１６−Ｃ２０−脂肪酸トリグリセリドを含んで成るか、あるいは脂質相がＣ１２−Ｃ５０−脂肪アルコール、とりわけＣ１２−Ｃ２４−脂肪アルコールを含有するか、あるいは脂質相がジアルキル（エン）エーテル、ジアルキル（エン）カーボネート、ジカルボン酸もしくはヒドロキシ脂肪アルコール、またはそれらの混合物から選択される１成分を含んで成る。
【００２４】
脂質相は好ましくは低い水分含量、とりわけ１０％未満を有する。脂質相は好ましくは有効成分を含有する。
【００２５】
好ましい態様においては、脂質相はシートの片面もしくは両面の表面もしくは表面の一部に存在する。
【００２６】
もう１つの観点においては、シートに脂質相および水相を順次にもしくは同時に適用することを含んで成る、本明細書に記載のような製品の製法が提供される。好ましい製法においては、前記シートは最初に油状の性状を有する脂質相で被覆され、次に水性の性状を有する水相を噴霧もしくはそれで含浸させる。
【００２７】
また更なる観点において、とりわけ私的手入れ用適用における清浄化手段としての本明細書に記載のような製品の使用が提供される。
【００２８】
もう１つの観点において、本発明は有効物質の適用物としての本明細書に記載のような製品の使用に関する。
【００２９】
またもう１つの観点においては、本発明は組み合わせた清浄化物および有効物質の適用物としての本明細書に記載のような製品の使用を提供する。
【００３０】
吸収性もしくは多孔性シートはティシュー、払拭物、タオル、小タオル、等の形態を採ることができる。材料はフラッシュ可能であることができる。本明細書で使用されるような「フラッシュ可能」は物質が２回のトイレットのフラッシュにおいて、排水管を少なくとも３メートル通過するであろうことを意味する。物質はまた生分解性であることもできる。
【００３１】
シートが製造される材料は単層でも多層でも、織物でも不織物でもよい。それらは１種もしくは複数の材料から製造することができる。そこで、繊維もしくはフィラメントが不作為にまたはある程度の配向性をもって分布されており、前者はエアレイ（ａｉｒ−ｌａｙｉｎｇ）もしくは特定の湿式敷設法により、後者は特定の他の湿式敷設もしくは梳毛法により得ることができる、繊維状もしくはフィラメント性のウェブ構造をもつ不織材料が特に好ましい。繊維もしくはフィラメントは天然のもの、例えば木材パルプ、羊毛、綿、麻等、または合成の物、例えばポリビニル、ポリエステル、ポリオレフィン、ポリアミド等であることができる。
【００３２】
多層のシート材料は織物もしくは不織物の同一のもしくは異なる材料の２枚以上の層、または異なる方法により得られた層を有する。１つの態様は３層から成る材料、例えばポリエチレン／パルプ／ポリエチレンもしくはヴィスコース／ポリプロピレン／ヴィスコースである。
【００３３】
シートは具体的には、１０〜８０ｇ／ｍ２、とりわけ２０〜７０ｇ／ｍ２の範囲内の平方メートル当たり重量を有する。具体的な材料は不織タイプのものである。使用された原料に基づき、２種の異なるタイプの製品に分類することができる。
【００３４】
第１のタイプの担体は紙基材のものである。これらの担体の原料はほとんど独占的に植物細胞源（パルプ）からのセルロース基材の繊維もしくはフィラメントから製造される。これらは新鮮な木材削り屑からまたは再生材料（再生紙）から入手することができる。赤子の払拭物、清浄化用払拭物、湿式ペーパータオル等のような多数の払拭物の適用においては、不織ウェブの高い湿式強度もしくは堅牢性が望ましい特質である。これは結合物質の添加により達成することができる。これらの物質の例にはいわゆる湿式強力樹脂がある。場合によっては、最終製品の柔らかさを増加するために添加剤が添加される。第２のタイプの使用においては、ウェブは主として、例えば木綿、羊毛、麻等を基礎にしたステープルから製造される。
【００３５】
市販の製品はセルロース繊維、合成繊維または両者の混合物から製造される。ポリエステルおよびポリプロピレンは合成繊維の製造に適したポリマーとして知られている。これらの製品中にもまた、不織布の堅牢性を増加するために結合剤を使用することができる。
【００３６】
増加された強度をもつウェブはいわゆるスパンレースまたはハイドロ−エンタングルメント法（ｈｙｄｒｏ−ｅｎｔａｎｇｌｅｍｅｎｔ  ｔｅｃｈｎｉｑｕｅ）を使用することにより得ることができる。この方法においては、結合物質を使用せずに許容できる強度もしくは堅牢性が得られるように個々の繊維が一緒に捩られる。後者の方法の利点は不織材料の優れた柔らかさである。
【００３７】
パルプとステープルファイバーの混合物から製造される不織材料も知られている。これらの材料は結合物質、とりわけ前記のものを伴なって、または結合物質を含まずに得ることができる。後者の場合には、不織物は好ましくはスパンレースもしくはハイドロ−エンタングルメント法により製造される。
【００３８】
本発明の好ましい態様において、シート材料は少量の結合物質を含むセルロースパルプから製造される。シート材料中の結合剤の量は５〜２０％（ｗ／ｗ）の範囲内にある。
【００３９】
特に好ましい態様において、不織シート材料は水エンタングルメント法により製造され、結合物質を含有しない。
【００４０】
シート材料の吸収能は本発明により想定される適用に関して特に興味深い。製造中、含浸液はシートにより早急に取り込まれなければならない。本発明の特定の態様において、払拭物は複数の払拭物を積み重ねに包装されるであろう。この場合には、不織布の吸収能は積み重ね物中のクロマトグラフィー効果（ローションの滲み込み）が貯蔵中には回避されるようなものでなければならない。他方、払拭物の使用中には、含浸液が皮膚に均一に配達され、有効成分が定量的に放出されることを保証しなければならない。
【００４１】
シート材料の吸収能は本質的には３種の異なるパラメーター：シート材料の表面重量（ｓｕｒｆａｃｅ  ｗｅｉｇｈｔ）、製造に使用される原料の性状および使用される製法、により決定される。
【００４２】
本発明に従う適用のためのシート材料は具体的には、１０ｇ／ｍ２〜８０ｇ／ｍ２、好ましくは３０〜７０ｇ／ｍ２、そしてより好ましくは４０〜６０ｇ／ｍ２の表面重量を有する。不織シート材料が製造される原料の選択は製造法に応じて実施される。具体的には、ハイドロ−エンタングルメント法による不織シートの製造においては、セルロース繊維と合成繊維の混合物が使用される。不織布中の合成繊維の相対的量は０〜１００％であり、好ましくは１０〜７０％の間、より好ましくは３０〜５０％（すべての百分率はｗ／ｗである）の範囲内にある。
【００４３】
本発明に従うシート材料は脂質相および水相と接触される。幾つかの態様においては、シートはポリマー相であることができる第３の相と接触される。
【００４４】
製品は水相を適用した後に乾燥される。水相は最終生成物の製造における様々な地点で適用することができるので、乾燥段階はまた製造工程の様々な地点で起ることができる。
【００４５】
１実施において、シート材料を最初に水相で処理し、その後、このようにして得た生成物を乾燥する。その後に脂質相を適用する。好ましいもう１つの実施において、シート材料を最初に脂質相で処理し、次に水相で処理し、その後に、このようにして得た生成物を乾燥する。
【００４６】
更にもう１つの実施において、シート材料を最初に水相、次に脂質相で処理し、その後にこのようにして得た生成物を乾燥する。
【００４７】
更に、複数の水相および複数の脂質相を適用して、幾つかの乾燥段階を導入する可能性が含まれる。各段階において、相をシートの一部のみにもしくはシートの片面にもしくは両面に適用することが可能である。相のこのような適用のあらゆる組み合わせ物が本発明の範囲内にあると見なされる。
【００４８】
従って、本発明の製品は乾燥しているかもしくは本質的に乾燥している。「乾燥」は水分含量が非常に低い、すなわち１％未満である状態を表わす。本明細書で使用されるような「本質的に乾燥」は製品が限定された量の水分、例えば製品の総重量の１０％未満、好ましくは８％未満、より好ましくは５％未満、更により好ましくは２％未満を含有することを意味する。それは更に概括的には製造後に、シートに全く水もしくは水基剤のローションが添加されないことを意味する。本明細書で使用されるような％はその中もしくはその上に取り込まれたすべての材料を含むシートの総重量に対するｗ／ｗである。
【００４９】
相はシート全体に、すなわち連続的に、またはシートの一部に、すなわち非連続的に適用することができる。ある相は連続的に適用されることができ、他方は非連続的に適用される。それらはシートの表面にまたは内部に適用することができる。表面に適用される場合には、１相もしくは両相がシートの片面もしくは両面に存在することができるかまたは、１相が片面に存在することができ、他方もう一方の相がシートの他方の面に存在する。
【００５０】
１相もしくは両相が非連続的に適用される場合には、それらはシートの特定の領域中もしくは特定の領域に、とりわけ１種もしくは複数の領域中もしくは領域に存在する。その場合には１種もしくは複数の相は１種もしくは複数の形態もしくは形状として存在することができる。それらは例えば、点もしくは斑点、線もしくは縞として、正方形、長方形、円等のような幾何学的図形として、文字、文、ロゴ、図形等のような表象（ｓｙｍｂｏｌｓ）として、または商標の記号、またはあらゆるその他のこのような形態、またはそれらの組み合わせ物として存在することができる。形態もしくは形状はシートの全体上に存在することもまたは１種もしくは複数の領域に、例えば隅の部分もしくは中央領域に集約することもできる。
【００５１】
具体的な態様において、１相は、シートの全面もしくは表面のごく一部を覆い、縞、斑点もしくはその他の形態でシートの片面もしくは両面に適用される。水相を布地の全面もしくは特定の領域上のいずれかにシートに適用される。
【００５２】
これは、好ましくは脂質相の適用後に第２段階でまたは１段階操作において同時に実施することができる。
【００５３】
好ましい態様において、両相はシートに順次適用される。
脂質相
シートに適用される脂質相は水相に不溶性かもしくは本質的に不溶性であるようなものであるかもしくはそのように調製される。しかし、幾つかの態様においては、２相は制約される程度に相互に混合可能もしくは可溶性であることができる。脂質相および水相は、一旦シート上にあり、そして消費者によるシート製品の使用前の期間中は、１相もしくは連続相を形成しないようなものであるかもしくはそのように調製されなければならない。
【００５４】
具体的な態様において、脂質相は疎水性で、概括的に油もしくは脂肪またはワックスのような、非水溶性の物質から成る。
【００５５】
脂質相は外界温度で液体、半固体もしくは固体であることができる。脂質相は半固体であることができ、後者の用語は当該技術分野で使用される標準的意味を有する。それは非晶質、半晶質もしくは晶質であることができるかまたは、クリームもしくはワックス状組成物の形態を採ることができる。
【００５６】
半固体状態は脂質相が融解過程にあるような固体状態と液体状態の中間の遷移段階にある時に起るが、更に脂質相を形成する物質の増加した粘度によることもできる。
【００５７】
半固体状態はワックス状、クリーム状、ペースト状、ゲル状もしくは類似のコンスティティーエンシー（ｃｏｎｓｔｉｔｕｅｎｃｙ）を有する物質において存在する。半固体状態はとりわけ、明確な融点をもたない物質、すなわち融解範囲をもつ物質で存在する。それはまた、ガラス−様物質、例えばガラス−様状態におけるように存在するポリマーにおいて存在する。
【００５８】
脂質相はとりわけ、室温より高い、とりわけ２５℃より高い、例えば２５〜１００℃の範囲の、とりわけ３０〜７５℃の範囲の、より具体的には３０〜４５℃の、好ましくは３２〜４０℃の範囲の融点もしくは融解範囲を有する。より好ましくは、融点もしくは融解範囲はヒトの体温より高い。もっとも好ましくは融点もしくは融解範囲はヒト体温に近似するかまたはそれと等しい。
【００５９】
本発明の幾つかの態様において、脂質相は比較的高い融点もしくは融解範囲を有することができる。融点もしくは融解範囲は例えば、体温より高い、例えば４０℃より高い、または４５℃より高いことができる。このような製品の適用時には、相互作用を促進するために、２相間により強度な相互作用またはより高温の適用が必要とされる可能性がある。後者の場合には、消費者は例えば、最初に製品を熱水と接触させ、次にそれを適用するように要請される可能性がある。前者の場合には、水相は脂質相とのより強度な相互作用を促進する薬剤を含有することができる。
【００６０】
本明細書で使用されるような用語「融解範囲」は物質もしくは組成物がその固体コンスティテューエンシーを喪失する温度から開始して、それが完全に液体になる温度までの温度範囲を意味する。融解範囲はその規定温度範囲と重複する時には規定温度内にあると考えられるかまたはその範囲が前記の温度より高い時には規定温度より高いと考えるべきである。
【００６１】
本明細書で使用されるような「外界温度」は約２０〜約２５℃の範囲にある温度を表わす。
【００６２】
脂質相はシートに適用後または貯蔵期間中にシートに適用されている時または消費者による使用時に、もう１種の状態に変化することができる。脂質相は液体としてシートに適用されることができ、後に、半固体もしくは固体になる。あるいは脂質相は消費者による使用中に半固体もしくは液体になることができる。この状態の変化は温度もしくは圧力のような物理的因子により誘導されることができるが、更に重合反応を起す具体的な成分のような化学的因子によりまたは光化学的反応により誘導されることもできる。
【００６３】
１態様において、脂質相はシート上への適用中に混合されて、その際各相中の特定の成分が混合され、例えば重合反応において相互反応を開始し、それにより液体から半固体もしくは固体に脂質相の状態を変化させる、２種の別な相として適用することができる。
【００６４】
室温で固体であり、０．２〜４ｍｍの浸透値（Ｐｅｔｒｏｔｅｓｔｅｒ  ＰＮＲ  １０，Ｍｉｋｒｏｋｏｎｕｓ，５秒、温度２０℃：で測定）を有する脂質相の組成物が特に好ましい。
【００６５】
脂質相の水分含量は低く、とりわけ１０％未満、好ましくは６％未満、より好ましくは３％未満である。具体的な態様において、脂質相は水分を含まず、水相により分解されないようなものであろう。本明細書で使用されるような「水分を含まず（ｗａｔｅｒ−ｆｒｅｅ）」は、相が、それに水分が添加されていない、水分含量の低い物質から成ることを意味する。
【００６６】
脂質相は油もしくは脂肪またはワックスから選択される１種もしくは複数の成分を含んで成ることができる。それは更にその他の成分を含有することができる。本明細書で使用されるような油もしくは脂肪は類似の種類の物質を表わし、油は外界温度で液体であり、脂肪は外界温度で固体もしくは半固体である。
【００６７】
脂質相はまた、ワックスおよび脂肪および／もしくは油の混合物を含んで成ることができる。
【００６８】
好ましい態様において、脂質相はワックス基剤の組成物であり、ここで「ワックス」の用語は下記に特記されるようなものである。
【００６９】
具体的な態様において、複数の脂質相、すなわち異なる組成の脂質相をシートに適用することができる。例えば、ある種類の脂質相をシートの片面に適用し、一方、もう１種の種類のものを他面に適用する。これらの脂質相は各々、下記の１種もしくは複数の成分、例えば有効成分、染料、乳化剤から選択される１種もしくは複数の成分および下記のその他の成分を含んでも含まなくてもよい。様々な染料の場合には、複数色の模様が存在することができ、例えば各脂質相が異なる色彩をもっても、または非着色でもよい。
【００７０】
異なる脂質相をシートの各面に異なって適用することができる。例えば、１面は完全に被覆され、他方他面では脂質相は模様に、例えば、縞として適用される。
油および脂肪
脂質相は油、脂肪または、油とのおよび／もしくは油状成分との脂肪の混合物を含有することができる。脂質相がそれらから成る生成された混合物は好ましくは、脂質相の融点もしくは融解範囲が前記のようであり、とりわけ外界温度より高く、更に具体的には３２℃〜４０℃の範囲内にあるように選択しなければならない。
【００７１】
脂質相中に使用することができる油もしくは脂肪は、とりわけ植物源の天然の油もしくは脂肪、または天然の油もしくは脂肪誘導体を含んで成る。それらの例はアーモンド油、大豆油、ヒマワリ油、紅花油、トウモロコシ油、カノーラ油、ルリチシャ油、ツキミソウ油、ブドウの種油、小麦胚油、アボカド油、ジョジョバ油、カーネル油、ゴマ油、クルミ油、リンシード油、パーム油、オリーブ油、マカダミア油、ヒマシ油、菜種油、落花生油、ココナツ油およびターニップ種油並びにそれらの硬化誘導体である。後者は脂肪もしくは油の水素化により得られる。植物源からの硬化油もしくは脂肪、例えば硬化ヒマシ油、落花生油、大豆油、ターニップ種油、綿種油、ヒマワリ油、パーム油、カーネル油、リンシード油、アーモンド油、トウモロコシ油、オリーブ油、ゴマ油、ココアバター、シアバターおよびココナツ油が好ましい。
【００７２】
前記硬化脂肪もしくは油は脂質相組成物のコンスティテューエンシーを増加する更なる利点を有する。
【００７３】
脂質相は更にこれらの天然の油から単離される脂肪成分、すなわち純粋なトリグリセリドもしくはそれらの混合物、または化学的に調製された後者の成分を含んで成ることができる。これらのいわゆるトリグリセリド（もしくはトリアシルグリセリン）は脂肪酸もしくは脂肪酸混合物、例えば油もしくは脂肪の留分からの加水分解によりまたは加水分解後の脂肪酸混合物を分溜することにより得られるいわゆる工業的混合物（ｔｅｃｈｎｉｃａｌ  ｍｉｘｔｕｒｅｓ）とのグリセリンのエステルである。トリグリセリドはまた、合成により化学的に得ることができる。
【００７４】
前記のトリグリセリド中の脂肪酸は飽和もしくは不飽和でも、直鎖もしくは分枝鎖でも置換もしくは未置換でもよい。好ましいトリグリセリドは１０〜６０、とりわけ１２〜３６、より具体的には１２〜２４、好ましくは１６〜２０炭素原子を有する飽和もしくは不飽和のいずれかの脂肪酸から誘導されるグリセリンエステルである。好ましいこれらの脂肪酸は例えばパルミチン酸、パルミン酸（ｐａｌｍｉｃ）、オレイン酸、ラウリン酸、ミリスチン酸、ステアリン酸、ヒドロキシステアリン酸、ベヘン酸もしくはそれらの混合物である。この群のうちでは、飽和脂肪酸から誘導されるトリグリセリドが特に興味深い。
【００７５】
ステアリンとも呼ばれるグリセリルトリステアレート、グリセリントリベヘネート、グリセリントリパルミテート、グリセリントリラウレート、グリセリントリオレエート、グリセリントリミリステートが特に興味深い。
【００７６】
脂質相はまた、場合によっては本明細書で記載の脂肪および油と、とりわけトリグリセリドと混合されたモノ−もしくはジグリセリドを含有することもできる。脂質相中に使用のためのモノ−もしくはジグリセリドは飽和もしくは不飽和の線状もしくは分枝鎖の置換もしくは未置換の脂肪酸もしくは脂肪酸混合物から誘導される。この場合にもまた、脂質相の融点もしくは融解範囲は好ましくは前記のとおり、とりわけ外界温度より高い、更にとりわけ３２℃〜４０℃の範囲内にある。具体的なモノ−もしくはジグリセリドはモノ−もしくはジ−Ｃ１２−２４脂肪酸グリセリド、特にはモノ−もしくはジ−Ｃ１６−２０脂肪酸グリセリド、例えばグリセリルモノステアレート、グリセリルジステアレートである。モノ−、ジ−および、場合によってはトリグリセリドの混合物は脂肪酸の留分から誘導することができる。脂質相の１成分としての使用のためのこのような混合物の１例はＣ１２−１８モノ−、ジ−およびトリグリセリドの混合物である。
【００７７】
本発明に従う好ましい態様においては、脂質相はグリセリンからのモノ−、ジ−もしくはトリエステルまたはそれらの混合物から選択される１種もしくは複数の脂肪酸グリセリドを含有する。
【００７８】
グリセリドは様々な量で存在することができ、それは具体的には脂質相の総量に対して６０％までの量で存在するかまたはある態様においては７０％まで、もしくは８０％（ｗ／ｗ）までの量で存在する。
【００７９】
他の態様、とりわけジアルキル（エン）エーテルもしくは−カルボキシレート、ジカルボン酸またはヒドロキシ脂肪アルコールを含有するものにおいては、前記脂肪エステルグリセリドの量は脂質相の総量に対して５０％まで、そしてより好ましくは４０％（ｗ／ｗ）までであろう。
【００８０】
本発明の具体的な観点において、脂質相が本質的にグリセリンからのモノ−、ジ−もしくはトリエステルまたはそれらの混合物から選択される１種もしくは複数の脂肪酸グリセリドから成る本明細書で特記されたような製品が提供される。グリセリドは様々な量で、例えば前記もしくは後記の量で存在することができる。
【００８１】
混合エステル並びにモノ−、ジ−およびトリグリセリドの混合物は、結晶に対するそれらの低い傾向および脂質相を形成している調製物のコンスティテューエンシーを改善するそれらの能力のために、特に興味深い。
【００８２】
脂質相はまた、そのアルキル基が１〜３０炭素原子、好ましくは１２〜２４炭素原子を有する脂肪酸のアルキルエステルを含んで成ることができる。前記アルキルエステル中の脂肪酸はとりわけＣ１２−３０脂肪酸、更に具体的にはＣ１２−２０脂肪酸である。前記エステル中のアルキル基は好ましくは、例えば脂肪もしくは油から誘導されるメチルエステルの工業的混合物の高圧水素化により得られる脂肪アルコール並びにそれらの混合物から誘導される。Ｃ１６−２４脂肪酸、より好ましくはＣ１６−１８脂肪酸およびＣ１−３０脂肪アルコール、好ましくはＣ８−２４脂肪アルコール、より好ましくはＣ１２−２０脂肪アルコールとのアルキルエステルが好ましい。
【００８３】
これに関しては、例えばステアリルステアレート、パルミチルステアレート、ステアリルベヘネート、セチルステアレート、セチルベヘネート、セチルパルミテート、セテアリルベヘネート、ベヘニルベヘネート、ステアリルヘプタノエート、ステアリルオクタノエート、ミリスチルミリステート、ミリスチルイソステアレート、ミリスチルオレエート、セチルイソステアレート、セチルオレエート、ステアリルイソステアレート、ステアリルオレエート、イソステアリルミリステート、イソステアリルパルミテート、イソステアリルステアレート、イソステアリルイソステアレート、イソステアリルオレエート、イソステアリルベヘネート、イソステアリルオレエート、オレイルミリステート、オレイルパルミテート、オレイルステアレート、オレイルイソステアレート、オレイルオレエート、オレイルベヘネート、オレイルエルケート、ベヘニルイソステアレート、ベヘニルオレエート、エルシルイソステアレートは特に興味深い。
【００８４】
分枝アルコール、とりわけ２−エチルヘキサノールとの線状Ｃ６−Ｃ２２−脂肪酸のエステル、線状アルコールとの分枝Ｃ６−Ｃ２２−脂肪酸のエステル、線状もしくは分枝Ｃ６−Ｃ２２−脂肪アルコールとのＣ１８−Ｃ３８−アルキルヒドロキシカルボン酸のエステル、多価アルコール（例えばプロピレングリコール、ダイマージオールもしくはトリマートリオール）および／もしくはゲルベアルコール（Ｇｕｅｒｂｅｔ  ａｌｃｏｈｏｌｓ）との線状および／もしくは分枝脂肪酸のエステル並びに芳香族カルボン酸、とりわけ安息香酸とのＣ６−Ｃ２２−脂肪アルコールおよび／もしくはゲルベアルコールのエステル、線状もしくは分枝Ｃ１−Ｃ２２−アルコール（例えばジオクチルマレエート）または２〜６ヒドロキシ基を有するＣ２−Ｃ１０−ポリオールとのＣ２−Ｃ１２−ジカルボン酸のエステルが更に興味深い。
【００８５】
好ましい脂肪はトリグリセリド、とりわけ約１２〜約２４炭素原子を有する脂肪酸、とりわけ約１２〜約２０炭素原子を有するもの、更にとりわけ約１６〜約２０炭素原子を有するものから誘導されるものを含んで成る。これらの脂肪酸は不飽和でも、好ましくは飽和でもよい。オレイン酸、ステアリン酸、ミリスチン酸もしくはラウリン酸から、またはココ−酸のような天然の油から誘導される脂肪酸混合物から誘導されるグリセリドは特に好ましい。好ましい脂肪の例にはココグリセリド、グリセリルステアレート、グリセリルラウレート、等がある。
【００８６】
更に好ましい脂肪は水素化ヒマシ油、水素化パーム油等のような水素化天然油を含んで成る。
【００８７】
脂質相はまた、油状成分、すなわち２０℃で液体である水混合不可能な成分を含んで成ることができる。これらは例えばグリセリド、炭化水素、ケイ素油、エステル油等、並びにそれらの混合物であることができる。脂質相の総組成物中のこれらの油状成分の総量は好ましくは脂質相が室温で固体であるかまたはそれが上記に規定されるような融点もしくは融解範囲を有するようなものであろう。油状成分は具体的には、脂質相の総量に対して４０％（ｗ／ｗ）未満、とりわけ２０％未満、または更にとりわけ１〜１５％、更にとりわけ２〜１０％（ｗ／ｗ）の量で存在するであろう。
【００８８】
油状成分は「油および脂肪」として前述されたあらゆる油、更にとりわけ２０℃で液体である、前述のモノ−、ジ−およびトリグリセリドであることができる。油状成分は更に、２０℃で液体である、それぞれの節で前記の、その中の脂肪酸および脂肪アルコールであることができる。
【００８９】
脂肪相中に使用することができる更なる油状成分はシリコーン油、鉱油およびパラフィン油および、脂肪族もしくは芳香族のいずれかの合成油並びにそれらの混合物を含んで成る。これらの油の例には、スクアラン、スクアレン、イソヘキサデカン、イソエイコサン、ポリデセンおよび更にジアルキルシクロヘキサンの群の構成員がある。
【００９０】
脂質相は更に例えば環式シリコーン、ジアルキル−もしくはアルキルアリールシロキサン（例えばシクロメチコン、ジメチルポリシロキサンおよびメチルフェニルポリシロキサン）、並びにそれらのアルコキシル化および第四級化類似体のようなシリコーン油を含有することができる。適した非揮発性のシリコーン油は例えば、ポリアルキルシロキサン、ポリアルキルアリールシロキサンおよびポリエーテルシロキサン−コポリマーである。
【００９１】
脂質相中の脂肪もしくは油の、または脂肪および油および／もしくは油状成分の混合物の総量はとりわけ、脂質相を形成している成分の総量の少なくとも５０％、好ましくは少なくとも７０％、より好ましくは少なくとも９０％（ｗ／ｗ）である。
【００９２】
本発明の具体的な観点において、脂質相が本質的に脂質もしくは油、または脂質および油および／もしくは油状成分の混合物から成る本明細書に規定されたような製品、とりわけ本明細書に規定された製品が提供される。脂肪、油および油状成分は様々な量で、例えば前記もしくは下記の量で存在することができる。
ワックス
脂質相はワックスを含んで成ることができる。本明細書で使用されるような用語の「ワックス」はワックス状のコンスティテューエンシーを有し、外界温度より高い、とりわけ２５℃より高い融点もしくは融解範囲を有する油溶性物質を表わす。ワックスは、結晶質であろうとなかろうと、固体から半固体（クリーム状）のコンシステンシーを有し、それらの液化点よりわずかに高い、比較的低い粘度を有する物質である。ワックスは合成並びに天然の１種もしくは複数の成分から成ることができ、原則としてワックス状のコンスティテューエンシーを有するあらゆる油溶性物質およびそれらの混合物から成るかまたはそれらを含んで成ることができる。
【００９３】
使用することができるワックスは合成もしくは天然ワックス、並びにワックス状のコンシステンシーを有するその他の油溶性物質であることができる。ワックスはまた、天然もしくは合成源の油もしくは脂肪のような物質およびワックス状成分、例えば高級アルカノール（とりわけ脂肪アルコール）、高級アルカンジオール（とりわけヒドロキシ脂肪アルコール）、カルボン酸（とりわけ脂肪酸）、ジアルキル（エン）エーテル、ジアルキル（エン）カーボネート、ジカルボン酸および類似成分を包含する。
【００９４】
天然ワックスは植物源からのワックス、例えばパーセリン（ｐｕｒｃｅｌｌｉｎｅ）、シアバター、ココアバター、木蝋、エスパルトグラスワックス、コルクワックス、グアルマワックス、稲の発芽ワックス、ウリキュリワックス、モンタンワックス、ヒマワリワックス、セレシンワックス、サトウキビワックス、カルナバワックス、カンデリラワックス、ラノリン、果実誘導ワックス（例えばオレンジワックス、レモンワックス、グレープフルーツワックスおよびベイベリーワックス等）および動物源からのワックス、例えば、蜜蝋、羊毛ワックス、鯨蝋および熊の脂肪、セラックワックス、等を含んで成る。天然ワックスは更に鉱物ワックス、例えばセレシンおよびオゾケライトワックスを含んで成る。合成ワックスは石油源のワックス、例えばパラフィン、ワセリン、ペトロラタム、ミクロワックスを含んで成る。更なる合成ワックスはポリアルキレンおよびポリエチレングリコールワックス、例えばポリエチレンワックス；塩化ナフタレンに基づいたワックス、例えば’Ｈａｌｏｗａｘ’、合成炭化水素ワックス、等およびそれらの混合物を含んで成る。更なるワックスは化学的修飾ワックス、とりわけ硬化もしくは水素化ワックス、例えばＭｏｎｔａｎ−エステエルワックス、Ｓａｓｏｌワックスおよび水素化ジョジョバワックスである。これらの天然ワックスのうちでは植物源からのワックスが好ましい。
【００９５】
その他のワックス成分は特定の脂肪（モノ−、ジ−およびトリグリセリドおよび脂肪酸アルキルエステルを含む）、脂肪アルコール、置換脂肪酸（とりわけヒドロキシ置換脂肪酸、例えば１２−ヒドロキシステアリン酸）を含む脂肪酸、ジアルキル（エン）エーテル、ジアルキル（エン）カルボキシレート、ジカルボン酸（とりわけジカルボン酸のＣ１６−Ｃ４０−ジアルキルエステル、例えばＣ１６−Ｃ４０−アルキルステアレート、Ｃ１８−Ｃ３８−アルキルヒドロキシステアリルステアレートもしくはＣ２０−Ｃ４０−アルキルエルケート）および本明細書で概説された「ワックス」の定義に準拠するヒドロキシ脂肪アルコールであることができる。これらの成分はいずれも、脂質相を形成する総組成物がワックス状コンスティテューエンシーを有する限りにおいて、液体である同族の成分を含有することができる。例えば、総組成物がワックス状コンスティテューエンシーを有し、とりわけ前記に規定された融点もしくは融解範囲を有するような量で、ワックス状脂肪は油を含有することができ、ワックス状脂肪アルコールは液体の脂肪アルコールを含有することができる、等である。
【００９６】
また更なるワックス成分は芳香族カルボン酸、トリカルボン酸の群から、または長鎖ヒドロキシカルボン酸のラクチドの群から選択される。ミリスチルラクテートは皮膚に対するその結合能のために、皮膚処置用の払拭物に対する使用に特に魅力的である。
【００９７】
使用することができる更なるワックス成分はＣ３０−Ｃ５０−アルキル蜜蝋、トリ−Ｃ１６−Ｃ４０−アルキルサイトレート、例えばトリステアリルサイトレート、トリイソステアリルサイトレート、トリラウリルサイトレート、エチレングリコールジ脂肪酸エステル、とりわけエチレングリコールジ−Ｃ１２−Ｃ３０−脂肪酸エステル、例えばエチレングリコールジパルミテート、エチレングリコールジステアレート、エチレングリコールジ（１２−ヒドロキシステアレート）である。
【００９８】
更なる有用な成分としてシリコーンワックスを言及することができる。
【００９９】
脂質相はまたワックスおよび脂肪および／もしくは油の混合物を含んで成ることができる。
【０１００】
脂質相中のワックスの総量はとりわけ脂質相を形成している成分の総量の少なくとも５０％、好ましくは少なくとも７０％、より好ましくは少なくとも９０％（ｗ／ｗ）である。
【０１０１】
本発明の具体的な観点において、脂質相が本質的に、本明細書に述べたワックスから選択される１種もしくは複数のワックスおよびそれらの混合物から成る、本明細書に規定されたような製品が提供される。ワックスは様々な量で、例えば前記もしくは下記の量で存在することができる。
脂肪アルコール
脂質相はまた脂肪アルコールを含んで成ることができる。使用することができる脂肪アルコールは例えば、天然の脂肪、油もしくはワックスから誘導されるＣ１２−Ｃ５０−脂肪アルコール、とりわけＣ１２−Ｃ２４−脂肪アルコール、例えばミリスチルアルコール、１−ペンタデカノール、セチルアルコール、１−ヘプタデカノール、ステアリルアルコール、１−ノナデカノール、アラキジルアルコール、１−ヘンエイコサノール、ベヘニルアルコール、ブラシジルアルコール、リグノセリルアルコール、セリルアルコールもしくはミリシルアルコール並びにゲルベアルコールである。本発明における使用には飽和直鎖もしくは分枝鎖脂肪アルコールが好ましい。しかしまた、場合によっては飽和アルコールとの混合物中に不飽和直鎖もしくは分枝鎖アルコールをも使用することができる。アルコールは好ましくは混合物の融点が前記のとおりであり、更にとりわけ、３２〜４０℃の範囲内にあるように、選択されるであろう。
【０１０２】
明らかに、天然に存在する油もしくは脂肪、例えばアーモンド油、大豆油、ヒマワリ油、紅花油、トウモロコシ油、カノーラ油、ルリチシャ油、ツキミソウ油、ブドウの種油、小麦胚油、アボカド油、ジョジョバ油、ゴマ油、クルミ油、リンシード油、ヤシ油、オリーブ油、ヒマシ油、マカダミア油、菜種油、落花生油、ココナツ油およびターニップ種油から誘導される対応する脂肪酸留分の還元から得られる脂肪アルコール留分を含む脂肪アルコールの混合物、も使用することができる。
【０１０３】
例えばＺｉｅｇｌｅｒ−合成からもたらされる、偶数の炭素原子をもつ線状脂肪アルコール（Ａｌｆｏｌｅ（Ｒ））もしくはＯｘｏ合成から生成される部分的分枝鎖アルコール（Ｄｏｂａｎｏｌｅ（Ｒ））のような合成アルコールも使用することができる。
【０１０４】
本発明に従う好ましい態様は脂質相が少なくとも１種の脂肪アルコール、より好ましくは少なくとも１種のＣ１４−Ｃ１８−脂肪アルコールを含有するものである。少なくとも１種のＣ１６−Ｃ１８−ゲルベアルコールを含む脂質相も好ましい。
【０１０５】
脂肪アルコールの使用は有利には、トリグリセリドのような成分に比較してより乾燥した、すなわちグリース感の少ない皮膚感触を有する脂質相をもたらす。
【０１０６】
脂質相中の脂肪アルコールの総量は様々であり、脂質相の所望の特性に左右される。多数の場合には、組成物中に比較的大量の脂肪アルコールを含むことが望ましく、とりわけ前記アルコールは脂質相を形成している成分の総量の５０％、好ましくは少なくとも７０％、より好ましくは少なくとも９０％（ｗ／ｗ）の量で存在するであろう。他の場合には、比較的少量が所望され、脂質相中に存在する脂肪アルコールの総量は１〜４０％、好ましくは１〜３０％（ｗ／ｗ）、より好ましくは１〜２０％（ｗ／ｗ）、更により好ましくは１〜１０％（ｗ／ｗ）の範囲内にある。
【０１０７】
本発明の具体的な観点においては、脂質相が本質的に、１種もしくは複数の脂肪アルコール、とりわけ本特許明細書に明記されたものおよびそれらの混合物から成る、本明細書に明記されたような製品が提供される。脂肪アルコールは様々な量、例えば前記もしくは下記の量で存在することができる。
【０１０８】
脂肪酸
脂質相はまた、Ｃ１４−Ｃ４０−脂肪酸およびそれらの混合物を含有することができる。Ｃ１６−Ｃ３０−脂肪酸がとりわけ興味深い。これらは例えばミリスチン酸、ペンタデカン酸、パルミチン酸、マルガリン酸、ステアリン酸、ノナデカン酸、アラキン酸、ベヘン酸、リグノセリン酸、セロチン酸、メリシン酸、エルカ酸、オレイン酸、リノレン酸、ラウリン酸およびエレオステアリン酸並びに置換脂肪酸、例えばヒドロキシ−置換脂肪酸、例えば１２−ヒドロキシステアリン酸並びにこれらの脂肪酸のアミドもしくはモノエタノールアミドを含んで成る。
【０１０９】
脂質相中の総重量に対する脂質相中に存在するＣ１４−Ｃ４０−脂肪酸の総量は１〜３０％（ｗ／ｗ）、好ましくは１〜２０％（ｗ／ｗ）、より好ましくは１〜１０％（ｗ／ｗ）の範囲内にある。
【０１１０】
本発明の具体的な観点において、脂質相が本質的に１種もしくは複数の脂肪酸、とりわけ本特許明細書に明記されたものおよびそれらの混合物から成る、本明細書に明記されたような製品が提供される。脂肪酸は様々な量、例えば、前記もしくは下記の量で存在することができる。
ジアルキル（エン）エーテルもしくは−カーボネート、ジカルボン酸もしくはヒドロキシ脂肪アルコール
脂質相はまた、ジアルキル（エン）エーテル、ジアルキル（エン）カーボネート、ジカルボン酸もしくはヒドロキシ脂肪アルコールまたはそれらの混合物、とりわけ下記に記載のエーテル、カーボネート、酸もしくはアルコールを含有することができる。
【０１１１】
本発明の具体的な観点においては、脂質相が本質的に１種もしくは複数のジアルキル（エン）エーテルもしくは−カーボネート、ジカルボン酸またはヒドロキシ脂肪アルコールおよびそれらの混合物から成る、本明細書に明記されたような製品が提供される。ジアルキル（エン）エーテルもしくは−カーボネート、ジカルボン酸またはヒドロキシ脂肪アルコールは様々な量、例えば前記もしくは下記の量で存在することができる。
【０１１２】
脂質相の組成物へのジアルキル（エン）エーテルもしくは−カーボネート、ジカルボン酸またはヒドロキシ脂肪アルコールおよびそれらの混合物の添加は脂質相の特性、とりわけその感覚的特性を最適にさせる、すなわち、製品が適用された後に、製品並びに皮膚が優れた皮膚手入れ性を保持しながら、グリース感が少なくなり、更に乾燥感の少ない皮膚感触を有する。
ジアルキル（エン）エーテル
ジアルキル（エン）エーテルは対称性もしくは非対称性で、直鎖もしくは分枝鎖で飽和もしくは不飽和である。ワックス状の飽和Ｃ１６−Ｃ３０−ジアルキルエーテル、とりわけＣ１６−Ｃ２４−ジアルキルエーテルが好ましい。Ｃ１６−Ｃ２０−ジアルキルエーテルはより好ましく、ジステアリルエーテルおよびジベヘニルエーテルは特に好ましい。脂質相の完全組成物が所望の融点を有するという条件下で、より短鎖のジアルキルエーテル、例えばジ−ｎ−オクチルエーテル、ジ−（２−エチルヘキシル）−エーテル、ラウリルメチルエーテルもしくはオクチルブチルエーテル、ジドデシルエーテルも使用することができる。これらのエーテルは当該技術分野で周知の方法に従って酸触媒の存在下で適当な脂肪アルコールから得ることができる。具体的な例は、例えば脂肪もしくは油から誘導されるメチルエステルの工業的混合物の高圧水素化により得られるカプロンアルコール、カプリルアルコール、２−エチルヘキシルアルコール、カプリンアルコール、ラウリルアルコール、ミリスチルアルコール、セチルアルコール、パルモレイルアルコール、ステアリルアルコール、イソステアリルアルコール、エライジルアルコール、ペトロセリニルアルコール、リノリルアルコール、リノレニルアルコール、オレイルアルコール、リチヌスアルコール、エレオステアリルアルコール、アラキジルアルコール、ガドレイルアルコール、ベヘニルアルコール、エルシルアルコールおよびブラシジルアルコール、ゲルベ（Ｇｕｅｒｂｅｔ）アルコール、並びにそれらの混合物のエーテル化により得られる生成物である。
【０１１３】
２５℃で固体であるジアルキル（エン）エーテルがとりわけ興味深い。
ジアルキル（エン）カーボネート
ジアルキル（エン）カーボネートは対称性もしくは非対称性で、直鎖もしくは分枝鎖で、飽和もしくは不飽和である。好ましいジアルキル（エン）カーボネートはワックス状の線状もしくは分枝鎖の飽和もしくは不飽和のＣ１４−Ｃ３０−ジアルキル（エン）カーボネートである。Ｃ１６−Ｃ２４−ジアルキルカーボネート、そしてこれらのうちでは、飽和線状Ｃ１６−Ｃ２２−ジアルキルカーボネートがより好ましい。ジステアリルカーボネートが特に好ましい。更に、完全組成物が所望の融点を有するという条件下で、液体のジアルキル（エン）カーボネート、例えばジヘキシル−、ジオクチル−、ジ−（２−エチルヘキシル）−もしくはジオレイルカーボネートも使用することができる。これらのジアルキル（エン）カーボネートは当該技術分野で周知の方法に従ってジメチル−もしくはジエチルカーボネートの対応するヒドロキシ化合物との再−エステル化により得ることができる。ジアルキル（エン）カーボネートの典型的な例は、適当な油もしくは脂肪または油もしくは脂肪留分から誘導されるメチルエステルの水和により得ることができる、ジメチル−および／もしくはジエチルカーボネートのカプロンアルコール、カプリルアルコール、２−エチルヘキシルアルコール、カプリンアルコール、ラウリルアルコール、ミリスチルアルコール、セチルアルコール、パルモレイルアルコール、ステアリルアルコール、イソステアリルアルコール、エライジルアルコール、ペトロセリニルアルコール、リノリルアルコール、リノレニルアルコール、オレイルアルコール、リチヌスアルコール、エレオステアリルアルコール、アラキジルアルコール、ガドレイルアルコール、ベヘニルアルコール、エルシルアルコールおよびブラシジルアルコール、ゲルベ（Ｇｕｅｒｂｅｔ）アルコール並びにそれらの工業的混合物との再−エステル化生成物である。２５℃で固体であるジアルキル（エン）カーボネートが特に興味深い。
ジカルボン酸
使用することができるジカルボン酸は例えばＣ９−Ｃ３４−ジカルボン酸である。
ヒドロキシ脂肪アルコール
前記の好ましいもしくは特に好ましいワックス状組成物中に使用のためのヒドロキシ脂肪アルコールは飽和もしくは不飽和で、直鎖もしくは分枝鎖である。Ｃ１２−Ｃ３０−ヒドロキシ脂肪アルコールが好ましく、そこで、ヒドロキシ−置換基の位置は合成経路および使用された出発物質に影響される。例えば１，１０−デカンジオール、１，２−ヘキサデカンジオール、１２−ヒドロキシステアリルアルコールもしくはヒドロキシ−ゲルベアルコールが含まれる。完全組成物が所望の融点を有する限りにおいて、液体同族体もまた使用することができるが、２５℃で固体であるヒドロキシ脂肪アルコールが好ましい。１２−ヒドロキシステアリルアルコールが特に好ましい。
【０１１４】
脂質相中に存在する１種もしくは複数のジアルキルエーテル、ジアルキルカーボネート、ジカルボン酸およびヒドロキシアルコールの総量は脂質相中の総重量に対して１〜３０％（ｗ／ｗ）、好ましくは１〜２０％（ｗ／ｗ）、より好ましくは１〜１０％（ｗ／ｗ）の範囲内にある。
その他の成分
脂質相の組成物はワックス状の特性もしくはその他を有することができる更なる成分を含有することができる。これらの更なる成分の使用は、とりわけ払拭物質への適用後に、そして更にとりわけ水相との接触時の組成物の感触性並びに安定性に影響を与えさせる。その他の成分はまたコンスティテューエンシー、感触および外観に影響を与えるために添加することができる。これらの成分は概括的に、非水溶性かもしくは弱い水溶性であろう。水溶性成分も具体的には可溶化剤もしくは乳化剤および幾らかの水と組み合わせて、含むことができる。
【０１１５】
更なる成分の例は過脂肪化剤、増粘剤、ポリマー、有効成分、フィルム形成剤、ＵＶ−フィルター、抗酸化剤、屈水剤（ｈｙｄｒｏｔｒｏｐｉｃ  ａｇｅｎｔｓ）、保存剤、忌虫剤、自己日焼け剤（ｓｅｌｆ−ｔａｎｎｉｎｇ  ａｇｅｎｔｓ）、可溶化剤、香油、染料等である。
【０１１６】
過脂肪化剤として使用することができる物質は例えばラノリンもしくはラノリン誘導体、例えばラノリンアルコール、ラノリン酸、ポリエトキシル化もしくはアシル化ラノリンまたはその他のラノリン誘導体；リン脂質、例えばレシチンもしくはレシチン誘導体、例えばポリエトキシル化もしくはアシル化レシチンまたはその他のレシチン誘導体；ポリオール脂肪酸エステル、モノグリセリドおよび脂肪酸アルカノールアミドである。
【０１１７】
適当な増粘剤は例えば、Ａｅｒｏｓｉｌ（Ｒ）−型（親水性シリカ酸）のもの、多糖類、とりわけキサンタンガム、グアガム、寒天、アルギネートおよびタイロース、カルボキシメチルセルロースおよびヒドロキシエチルセルロース、更に脂肪酸の比較的高分子のポリエチレングリコールモノ−および−ジエステル、ポリアクリレート（例えばＧｏｏｄｒｉｃｈのＣａｒｂｏｐｏｌ（Ｒ）またはＳｉｇｍａのＳｙｎｔｈａｌｅｎｅ（Ｒ））、ポリ−アクリルアミド、ポリビニルアルコールおよびポリビニルピロリドン、界面活性剤、例えばエトキシル化脂肪酸グリセリド、ポリオール、例えばペンタエリスリットもしくはトリメチロールプロパンとの脂肪酸のエステル、限られた範囲の類似体もしくはアルキルオリゴグルコシド並びに塩化ナトリウムもしくは塩化アンモニウムのような電解質を有する脂肪アルコールエトキシレートである。
【０１１８】
適当なカチオンポリマーは例えば、カチオンセルロース誘導体、例えば第四級化ヒドロキシエチルセルロース（Ａｍｅｒｃｈｏｌにより商品名Ｐｏｌｙｍｅｒ  ＪＲ  ４００（Ｒ）として市販）、カチオンデンプン、ジアリルアンモニウム塩とアクリルアミドのコポリマー、第四級化ビニルピロリドン／ビニルイミダゾール−ポリマー（例えばＢＡＳＦのＬｕｖｉｑｕａｔ（Ｒ））、ポリグリコールとアミンの縮合生成物、第四級化コラーゲンポリペプチド、例えばラウリルジモニウムヒドロキシプロピル加水分解コラーゲン（Ｌａｍｅｑｕａｔ（Ｒ）Ｌ／Ｇｒｕｅｎａｕ）、第四級化小麦ポリペプチド、ポリエチレンイミン、カチオンシリコーンポリマー（例えばアモジメチコン）、アジピン酸とジメチルアミノヒドロキシプロピルジエチレントリアミンのコポリマー（Ｃａｒｔａｒｅｔｉｎｅ（Ｒ）／Ｓａｎｄｏｚ）、アクリル酸のジメチルジアリルアンモニウムクロリドとのコポリマー（Ｍｅｒｑｕａｔ（Ｒ）５５０／Ｃｈｅｍｖｉｒｏｎ）、ポリアミノポリアミド、カチオンキチン誘導体（例えば場合によってはマイクロクリスタリン形態に分散された第四級化キトサン）、ジハロゲンアルキレンから誘導された縮合生成物（例えばビス−ジアルキルアミンを含むジブロモブタン、例えばビス−ジメチルアミノ−１，３−プロパン）、カチオングアガム（例えばＣｅｌａｎｅｓｅからのＪａｇｕａｒ（Ｒ）ＣＢＳ、Ｊａｇｕａｒ（Ｒ）Ｃ−１７、Ｊａｇｕａｒ（Ｒ）Ｃ−１６）、第四級化アンモニウム塩−ポリマー（例えばＭｉｒａｎｏｌからのＭｉｒａｐｏｌ（Ｒ）Ａ−１５、Ｍｉｒａｐｏｌ（Ｒ）ＡＤ−１、Ｍｉｒａｐｏｌ（Ｒ）ＡＺ−１）である。
【０１１９】
使用することができるアニオン、双イオン性、両性および非イオン性ポリマーは例えば、ビニルアセテート／クロトン酸−コポリマー、ビニルピロリドン／ビニルアクリレート−コポリマー、ビニルアセテート／ブチルマレエート／イソボルニルアクリレート−コポリマー、メチルビニルエーテル／マレイン酸無水物コポリマーおよび、架橋されておらず、架橋されたポリオール結合ポリアクリル酸とのそれらのエステル、アクリルアミドプロピルトリメチルアンモニウムクロリド／アクリレート−コポリマー、オクチルアクリルアミド／メチルメタクリレート／ｔｅｒｔ．ブチルアミノエチルメタクリレート／２−ヒドロキシプロピルメタクリレート−コポリマー、ポリビニルピロリドン、ビニルピロリドン／ビニルアセテート−コポリマー、ビニルピロリドン／ジメチルアミノエチルメタクリレート／ビニルカプロラクタム−ターポリマー並びに場合により、誘導セルロースエーテルおよびシリコーンである。
【０１２０】
更なるコンシステンシー付与剤として、少量のアルカリ金属もしくはアルカリ土類金属並びにＣ１２−Ｃ２４−脂肪酸もしくはＣ１２−Ｃ２４−ヒドロキシ脂肪酸のアルミニウム塩、好ましくはカルシウム−、マグネシウム−、アルミニウム−塩およびとりわけ亜鉛ステアレートを使用することができる。
【０１２１】
脂質相は更に、適当な抗酸化剤、例えばサルファイト（例えばナトリウムサルファイト）、トコフェロールもしくはその誘導体、アスコルビン酸もしくはその誘導体、クエン酸、プロピルガレート、キトサングリコレート、システイン、Ｎ−アセチルシステインと硫酸亜鉛、チオサルフェート（例えばナトリウムチオサルフェート）、ポリフェノール等を含有することができる。
【０１２２】
脂質相は更に粉末剤もしくは粉末化成分またはそれらの混合物、例えばタルク、白陶土（Ｂｏｌｕｓ  ａｌｂａ）、ミリスチルアルコール、セチルアルコール、セチルステアリルアルコール、カルシウムもしくはマグネシウムステアレート、マグネシウムラウリルサルフェート、デンプンもしくはその誘導体（例えば二デンプンホスフェート、アルミニウムデンプンオクテニルサクシネート、カルボキシメチルデンプン、タピオカデンプン、ジメチルイミダゾリジノンコメデンプン、ナトリウムデンプングリコレート、ジャガイモデンプン、コメデンプン、トウモロコシデンプン、ヒドロキシプロピルデンプン、ヒドロキシエチルデンプン等を含有することができる。
【０１２３】
脂質相は更に、脂質相の物理的保全性の崩壊を引き起こす薬剤である崩壊剤を含有することができる。崩壊は脂質相の一部もしくは全体にわたることができる。崩壊剤は脂質相の一部もしくは全体中に混合もしくは溶解することができる。崩壊剤は脂質相中に連続的にまたは例えば脂質相の上面に混合することができ、例えば脂質相をその層の上部もしくはその層の上部の一部中に層として適用される場合に非連続的に混合することができる。
【０１２４】
適当な崩壊剤は自己相互反応もしくは２剤間の相互反応のいずれかによる物理的もしくは化学的反応にさらされる薬剤である。これは脂質相との物理的もしくは化学的反応をもたらす。崩壊剤の１つの種類は例えば分解によりもしくは２成分間の化学反応によりガスを放出するものである。崩壊剤の１例はバイカーボネートおよび酸（例えば炭酸ナトリウムもしくはカリウム）の、適当な有機酸（例えばクエン酸）との固体混合物である。水と接触すると、例えば水相と接触すると、崩壊成分は反応して、二酸化炭素を放出し、それが脂質相を物理的に変化させる。このような物理的変化は例えば、脂質相をシート上に均一に分配させる。これは水相と脂質相間の相互反応に有効に影響を与えて、それが順次、これらの相中の物質、例えば有効成分の皮膚への移動に有効な効果をもつことができる。
【０１２５】
脂質相は更にシート材料上に適用中もしくはその後のいずれかに重合反応を受ける成分を含有することができる。これらの成分の例は、シート上への適用中もしくはその後にモノマーもしくは他のオリゴマーと重合し続けるオリゴマーである。その他の例は網目形成もしくは共−重合を誘起する薬剤である。特定の期間中、重合を妨げる薬剤も存在することができる。あるいはまた、例えば熱、光線もしくは圧力のような外的因子の影響下で重合を促進する薬剤も存在することができる。
【０１２６】
１つの型の態様において、脂質相は例えば光線のような外的因子の影響下で重合もしくは共−重合を誘起させることができるモノマーもしくはオリゴマーを含有する。脂質相はシートに適用され、適用過程中に脂質相が光線照射を受け、そこで重合が起る。あるいはまた、脂質相はシートに適用された後に光線照射を受けることができる。
【０１２７】
脂質相は更に製品の使用時に、温度もしくは圧力の変化により色彩を変える染料を含有することができる。これは、消費者にある程度の快適さおよび製品が皮膚に脂質相を配達するまたは、有効成分含有脂質相の場合には、有効成分が皮膚上に配達されるという信頼性を与えるであろう。
【０１２８】
脂質相は更に染料−前駆体、すなわち物理的もしくは化学的因子の影響下で染色される薬剤を含有することができる。具体的な態様において、脂質相は染料を形成するために水相中に存在する特定の薬剤と反応する染料−前駆体を含有することができる。同様に、染料−前駆体は水相中に存在して、脂質相中に取り込まれる特定の種の化学薬品と反応する時に染料中に移動されることができる。
【０１２９】
脂質相はまた、ビーズにもしくはビーズ中に調製することができる。具体的には、これらのビーズは、どんな形態であれ脂質相が捕捉されているポリマーのビーズである。「ビーズ」もしくは「ポリマーのビーズ」の用語はモノマーもしくはポリマーマトリックスまたはカプセル中に脂質相を封入、被覆もしくは含有する、離散した、自由流動性粉末、ビーズもしくはカプセルのあらゆる形態を含んで成ることを意味する。これらの用語はまた、モノマーもしくはポリマーマトリックス自体が脂質相である粉末、ビーズもしくはカプセルを包含する。これらの用語はまた、多孔質のビーズもしくは「ミクロスポンジ」および「ミクロカプセル」を含むことを意味し、後者はサイズがより小さいビーズである。ビーズはビーズの中身を保護するかまたは、その中に捕捉された脂質相の放出を制御する適当な被覆材料で覆うことができる。ビーズ自体上の被膜が脂質相を含有することができる。後者の場合には、被膜は不活性コアまたは、脂質相および／もしくはその他の成分を含有するコア上に被覆させる。
【０１３０】
ビーズ中の脂質相の調製はその保全性に影響を与える可能性がある外的因子から脂質相を保護するために実施することができる。しかし、それは大部分、脂質相の制御された放出を可能にするために実施される。
【０１３１】
平均直径は２００ｎｍまで小さくするすることができるが、具体的な種類のビーズはミクロメーター範囲にある平均直径を有する小ビーズもしくはカプセルである。
【０１３２】
この種類のカプセルは例えば、リン脂質（例えばレシチン、ホスファチジルエタノールアミン、ホスファチジルセリン、ホスファチジン酸等）から製造されたリポソーム−に基づいたものであることができる。この種類のカプセルはまた、デンプン、セルロース、多孔質ゼラチン等から製造することができる。
【０１３３】
カプセルもしくはビーズはまた、１ｍｍもしくは０．１ｍｍの範囲の平均サイズを有する、比較的大きいものであることもできる。この種類のカプセルもしくはビーズは寒天、グリコール酸ポリマーおよび更なる成分（例えば水、鉱油、グリセリン）のような物質から製造することができる。それらは保存剤、１種もしくは複数の染料、等のような更なる成分を含有することができる。
【０１３４】
もう１種のビーズもしくはミクロカプセルはミクロスポンジである。これらは大きな内面を有する約５〜約３００μｍ（平均直径）のサイズの物質である。これらは具体的なモノマーの重合により得られる。脂質相材料はこの重合過程中もしくはその後のいずれかにその中に捕捉されることができる。ミクロスポンジに基づい担体はその中に捕捉された脂質相を保護するためにまたは制御された放出目的のために使用することができる。
【０１３５】
カプセルは場合によっては、１種もしくは複数の適当な崩壊剤、とりわけ本明細書中に記述のものを含有することができる。崩壊剤は適当な外的因子と接触時に、カプセルを破壊させ、それにより、その中に捕捉された脂質相を放出させる。
【０１３６】
カプセルは水相中もしくはもう１種の脂質相中、またはその両方中に取り込まれることができる。それらはまた、脂質相および水相の導入前にシートに適用することができる。それらはシート自体の製造過程中に導入することすらできる。
【０１３７】
ビーズもしくはカプセルからの脂質相の放出は被膜の破裂の結果もしくはマトリックスからのものであることができる。これは圧力、歪またはシート製品の使用時のせんだん応力、例えば、製品を皮膚もしくは表面にこすりつけることによるような物理的因子の結果である可能性がある。脂質相の放出はビーズもしくはその被膜の半透過性もしくは多孔性による、あるいは脂質相を抽出させるまたはビーズもしくはその被膜を溶解もしくは崩壊させる液体溶媒との接触のような外的因子による、あるいは温度効果による可能性がある。カプセルはまた、特定の化学薬品の影響下で、とりわけカプセル中に取り込まれた崩壊剤により崩壊されることができる。後者の具体的な態様は水との接触時に、例えばシート製品を使用する時に水相と接触時にカプセルを崩壊させる適量のバイカーボネートと有機酸を含有するカプセルである。
【０１３８】
ビーズもしくはカプセルは当該技術分野で周知の方法に従い、例えばエマルジョン重合により製造することができる。
【０１３９】
ビーズもしくはカプセルはシートのあらゆる部分に適用することができるが、好ましくはシートの表面もしくは上部表面部分に集中される。これは皮膚もしくは、製品が適用されている表面への脂質相の最大の移動を可能にする。
【０１４０】
ビーズもしくはカプセルは散布、ふるい、噴霧および類似の方法により乾燥形態でシートに適用することができる。それらはまた、適当な液体もしくはペーストの形態で印刷もしくはローラー印刷することができる。それらはまた、ビーズに対して不活性な溶媒であることができる適当な液体とまたは水もしく水相と混合して、シート上に噴霧することができる。
【０１４１】
好ましい組成物
本発明の好ましい態様は脂質相が下記のＩ、IIもしくはIIIに記載のような組成物を含むものである。
【０１４２】
好ましい態様においては、脂質相の組成物は２５℃より高い、好ましくは３０〜４５℃の範囲内の、より好ましくは３２〜４０℃の範囲内の融点もしくは融解範囲を有するであろう。
【０１４３】
脂質相の好ましい組成物の水分含量は低く、例えば１０％より低く、好ましくは６％よ低く、より好ましくは３％より低い。好ましい組成物はとりわけ、水分を含まないであろう。
【０１４４】
本発明の好ましい態様Ｉにおいては、脂質相は１種もしくは複数の脂肪酸モノ−、ジ−もしくはトリグリセリド、またはモノ−、ジ−もしくはトリグリセリドを含んで成る天然油並びに前記天然油の水素化誘導体を含有する。前記グリセリド中の脂肪酸はそれらの水素化誘導体を含む合成物であるかもしくは天然油から誘導することができる。脂肪酸は１２〜２４、好ましくは１６〜２０炭素原子を含有する。
【０１４５】
天然油の水素化誘導体の具体的な１例は水素化ヒマシ油である。
好ましい態様Ｉ
好ましい態様Ｉにおいて、脂質相は１種もしくは複数のモノ−、ジ−もしくはトリグリセリド、とりわけＣ１２−２４−脂肪酸モノ−、ジ−もしくはトリグリセリド、または更にとりわけＣ１６−２０−脂肪酸モノ−、ジ−もしくはトリグリセリドを含んで成る。更に特に好ましい態様Ｉにおいては、脂質相は１種もしくは複数のトリグリセリド、とりわけＣ１２−２４−脂肪酸トリグリセリド、または更にとりわけＣ１６−２０−脂肪酸トリグリセリドを含んで成る。これらのトリグリセリドの具体的な例はグリセリルステアレート、グリセリルオレエート、グリセリルラウレート、グリセリルミリステート、ココグリセリド、または水素化パーム油、水素化菜種油もしくは水素化ヒマシ油中に存在するグリセリドである。
【０１４６】
好ましい態様Ｉの脂質相中の１種もしくは複数のモノ−、ジ−もしくはトリグリセリドの総量はとりわけ、脂質相を構成している成分の総量の少なくとも５０％、好ましくは少なくとも７０％、より好ましくは少なくとも９０％（ｗ／ｗ）である。好ましい態様Ｉの脂質相中の１種もしくは複数のトリグリセリドの総量はより好ましくは、脂質相を構成している成分の総量の少なくとも５０％、より好ましくは少なくとも７０％、更により好ましくは少なくとも９０％（ｗ／ｗ）である。
好ましい態様II
好ましい態様IIにおいて、脂質相は天然の脂肪、油もしくはワックスから誘導されるＣ１２−Ｃ５０−脂肪アルコール、とりわけＣ１２−Ｃ２４−脂肪アルコール、例えばミリスチルアルコール、１−ペンタデカノール、セチルアルコール、ラウリルアルコール、オレイルアルコール、パルミチルアルコール、１−ヘプタデカノール、ステアリルアルコール、セテアリルアルコール、１−ノナデカノール、アラキジルアルコール、１−ヘンエイコサノール、ベヘニルアルコール、ブラシジルアルコール、リグノセリルアルコール、セリルアルコールもしくはミリシルアルコール並びにゲルベ（Ｇｕｅｒｂｅｔ）アルコールを含有する。
【０１４７】
Ｃ１４−Ｃ１８−脂肪アルコール並びにＣ１６−Ｃ１８−ゲルベアルコールは本発明における使用のために特に興味深い。
【０１４８】
脂質相の総重量に対する、脂質相中に存在する１種もしくは複数のＣ１２−Ｃ５０−脂肪アルコールの総量は１〜３０％（ｗ／ｗ）、好ましくは１〜２０％（ｗ／ｗ）、より好ましくは１〜１０％（ｗ／ｗ）の範囲内にある。
好ましい態様III
好ましい態様IIIにおいて、脂質相はジアルキル（エン）エーテル、ジアルキル（エン）カーボネート、ジカルボン酸もしくはヒドロキシ脂肪アルコールまたはそれらの混合物から選択される少なくとも１種の油もしくはワックス成分を含んで成るワックス状組成物である。
【０１４９】
特に好ましい態様IIIにおいて、脂質相は
（ａ）ジアルキル（エン）エーテル、ジアルキル（エン）カーボネート、ジカルボン酸もしくはヒドロキシ脂肪アルコールまたはそれらの混合物から選択される少なくとも１種の油もしくはワックス成分、
（ｂ）有効成分、
を含んで成るワックス状組成物である。
【０１５０】
好ましい態様IIIの脂質相中に使用のための具体的なジアルキル（エン）エーテル、ジアルキル（エン）カーボネート、ジカルボン酸もしくはヒドロキシ脂肪アルコールは前述のものである。
【０１５１】
前記の好ましいもしくは特に好ましいワックス状組成物は好ましくは２５℃より上で液化し、そして／または１０％より低い、好ましくは６％より低い、より好ましくは３％より低い水分含量を有する。とりわけ、前記の好ましいもしくは更に好ましいワックス状組成物は水分を含まず、水相により分解されないようなものであろう。本明細書で使用される「水を含まない（ｗａｔｅｒ−ｆｒｅｅ）」とは概括的に、その相が、それに水分が添加されていない、低い水分含量の物質から成ることを意味する。
【０１５２】
好ましい組成物IIIを含む脂質相は脂質相、とりわけ更なるワックス状脂質成分もしくは油に関連して記載のものと同様な更なる成分を含有することができる。
【０１５３】
好ましい組成物IIIを含む脂質相はまた、液体ジアルキル（エン）エーテル、ジアルキル（エン）カーボネート、ジカルボン酸もしくはヒドロキシ脂肪アルコールを、しかし好ましくは脂質相の総組成物の融点もしくは融解範囲が２５℃を越えない、そしてより好ましくは前記の温度範囲内にあるような量で含有することができる。
【０１５４】
特に好ましい態様において、本発明の製品は
（ａ）Ｃ１４−Ｃ３０−ジアルキルエーテル、Ｃ１４−Ｃ３０−ジアルキルカーボネート、Ｃ４−Ｃ３４−ジカルボン酸もしくはＣ１２−Ｃ３０−ヒドロキシ脂肪アルコールもしくはそれらの混合物から選択される少なくとも１〜５０％（ｗ／ｗ）、とりわけ少なくとも１〜１０％の油状もしくはワックス状成分、
（ｂ）０．１〜５％（ｗ／ｗ）の少なくとも１種の有効成分、
（ｃ）１〜１０％（ｗ／ｗ）の少なくとも１種の油、
（ｄ）０．１〜１０％（ｗ／ｗ）の少なくとも１種の乳化剤、
（ｅ）５〜９０％（ｗ／ｗ）の更なるワックス状成分、
（ｆ）０〜５％（ｗ／ｗ）の水、
を含有する脂質相を含む。
脂質相の適用
脂質相は様々な方法でシートに適用することができる。好ましくは脂質相はシートの片面もしくは両面の表面もしくは表面の一部に適用される。
【０１５５】
脂質相はシートに均一にもしくは非均一に適用することができ、非均一に適用とは脂質相の量の分布がシートの領域上で変動し、すなわちシートのある領域はより多いもしくはより少量の脂質相を有することができることを意味する。脂質相は好ましくはシートの領域に均一に適用される。
【０１５６】
脂質相は布地の片面もしくは両面に非連続的もしくは連続的に適用することができるかまたは布地の片面もしくは両面の完全な被覆物として適用することすらできる。
【０１５７】
脂質相は好ましくはシートの片面もしくは両面に非連続的な模様に適用される。この目的のために、液相を前以て決められた制御された方法で、シートの特定の領域に適用する。非連続的な模様は脂質相が、脂質相を含まないシートの領域により分離された明白な領域に適用されたものである。その場合には、脂質相は様々な形態を採ることができるシートの区画された部分もしくは領域に適用される。脂質相はとりわけ、両相の適用に対してより概括的に前述されたように適用することができる。脂質相を適用することができる具体的な形態は例えば、規則的もしくは不規則な形態、例えば円、楕円形、正方形、長方形等、ロゴ、文章、文字もしくはその他のあらゆる非連続的模様、並びに脂質相および水相の適用に対してより概括的に前述された模様のいずれかの縞、点もしくは斑点、幾何学形態である。
【０１５８】
不連続模様はまた、本質的には、脂質相のより大きい模様の網目を含んで成る。好ましい態様においては、脂質相は不連続的に配置される、すなわち中断されることができる離散した縞模様としてまたは、好ましくは払拭物の表面全体上に連続して存在する。縞模様はまた、縞を集合的に含んで成る離散した切片の模様を形成することができるかまたはそれらは正弦波の形状もしくは波形様および類似の模様のような繰り返しの模様をもつことができる。波形の縞が選択される場合には、縞は好ましくは位相が同一で、そのため平行が維持され、各縞が隣接の縞と等間隔に留まる。
【０１５９】
縞は好ましくは製造の容易なために機械方向に配向される。
【０１６０】
もう１つの実施において、２種以上の脂質相をシートの片面もしくは両面に適用することができる。例えば１脂質相をシートの片面の全面もしくは一部に適用することができ、他方もう１種の脂質相を他の脂質相と同一のもしくはもう１種の模様のいずれかを伴なって、他面の全体もしくは一部のみに適用する。具体的なこのような態様は、同一の面上に、例えば同一もしくは異なる色彩をもつ平行な縞もしくは他の模様の、２種の異なる脂質相をもつものである。
【０１６１】
具体的な態様においては、片面上もしくは好ましくは両面上のいずれかのシートの表面の半分を越えない部分が脂質相を担持するかまたはそれにより被覆されている。好ましい態様において、脂質相は両面の表面に存在し、シート表面の５０％未満を覆い、とりわけ表面の３５％未満、または表面の２５％未満を覆う。特に好ましい態様においては、脂質相は表面の半分未満または、更にとりわけ２５％未満を覆って、縞として、とりわけシートの脇側と平行に走行する平行な縞として存在する。もう１つの特に好ましい態様において、脂質相は表面の５０％未満を覆って、シートの全面上に均等に配布された点として存在する。
【０１６２】
多少とも規則的な形状の点を有する態様が存在することができ、その他の態様は円形の点を有し、他の態様は楕円形を有し、他方、更に他の態様は規則的な形状の点および円等の混合模様、例えば、円形と楕円形の組み合わせを有する。
【０１６３】
縞の場合には、それらの幅は好ましくは１〜１０ｍｍの間、より好ましくは３〜７ｍｍの間である。点の場合には、丸い形状、例えば１〜１０ｍｍの間、より好ましくは３〜７ｍｍの間の平均直径をもつ円もしくは楕円が好ましい。ある製品上には異なる幅をもつ縞が存在することができ、そしてある製品上には異なるサイズの点が存在することができる。後者の態様の１例は一定のサイズの円および異なるサイズの楕円をもつシートまたは異なるサイズをもつ円のシートである。
【０１６４】
脂質相は無色でも彩色されてもよく、すなわち単色でも多色でもよい。多色の模様は異なって染色されたいくつかの脂質相を適用することにより得られる。着色脂質相は、シートが有効成分を含有する特別の物質により覆われていることを使用者に警告するであろうし、または更に製品を審美的に魅力的にさせることができる。
【０１６５】
もう１つの態様において、シート自体が両面もしくは片面の、全面もしくはごく一部を着色される。色彩がシートの一部にのみ存在する場合には、それは好ましくは脂質相が採ることができる模様と関連して記載された形状および形態を採るであろう。もう１つの態様において、脂質相が適用されている表面部分の間の透き間のみが着色され、それにより脂質相の領域を無色に残す。このようにして、脂質相の模様が無色の模様として見えるであろう。
【０１６６】
シートを着色するのに好ましい模様は縞、とりわけ機械方向に配向された縞にある。これらの態様の例は、着色された縞もしくは着色された縞間の領域が脂質相で覆われているものである。前者の場合には、脂質相の縞が着色され、後者の場合には、それらは無着色である。
【０１６７】
それ自体は着色もしくは無着色でもよい脂質相は多数の異なる方法で着色シートに適用することができる。
【０１６８】
完全に着色された表面を有するシートの場合には、脂質相は表面全体に適用することができ、それにより、異なるもしくは変化した色彩、例えば脂質相が白色のもしくは不透明である、より淡い色彩をもたらすことができる。脂質相はまた、特定の模様に適用することができ、これにより多色の製品または、脂質相が白色もしくは不透明である場合には、単色の模様をもつ製品をもたらす。この場合にもまた好ましい模様は縞である。
【０１６９】
また更なる態様において、シートは特定の模様に着色され、脂質相がこれらの模様もしくはこれらの模様の一部に適用される。この場合にもまた、脂質相は着色でも無色、すなわち、白色、不透明もしくは透明でもよい。脂質相が白色もしくは不透明である場合には、その厚さは、シートの下にある部分の色彩が見えて、従って消費者に、具体的な成分を含有する脂質相が存在する印象を与えるように選択することができる。
【０１７０】
脂質相は具体的には、シートの片面に、または好ましくは両面のいずれかに、約３〜４０ｇ／ｍ２、好ましくは約１０〜約２０ｇ／ｍ２の量で適用される。あるいはまた、脂質相は乾燥基剤を約０．０６ｇ〜０．８ｇ／基剤１ｇ、好ましくは０．２０ｇ〜０．４０ｇ／乾燥基剤１ｇの量で適用される。
【０１７１】
脂質相はシートにもしくはシート中に液体もしくは融解脂質材料を接触もしくは含浸させるために使用することができるあらゆる方法により、シートに適用することができる。液相はシートを液体脂質相中に浸けることにより適用することができる。後者が室温で固体もしくは半固体である場合には、それは適当な溶媒中で融解もしくは溶解することにより液化させ、後に蒸発される。
【０１７２】
脂質相はまた、シートの表面上への脂質物質の被覆を許すあらゆる方法により適用することができる。本明細書で使用される用語「被覆（ｃｏａｔｉｎｇ）」は印刷、被覆、上塗り（ｏｖｅｒｌａｙｉｎｇ）、仕上げ処理、噴霧、押し出し、張り付けもしくは，相をシートの表面に適用するあらゆるその他の方法を意味する。
【０１７３】
具体的な被覆法はシートが管を通過する間に組成物がシートと接する管を通って押し出される押し出し法である。好ましい方法は、融解状態の脂質相がそこから押し出されるスリットブレード、すなわち切り抜き部分をもつブレードの付いた加熱ヘッドとシートを接触させることを含んで成る。もう１つの好ましい被覆法は加熱された噴霧ヘッドもしくはノズルから液化脂質相を噴霧することを含んで成る、いわゆるホットメルト法を伴なう。もう１つの適用法はカレンダーローラーのような回転表面上に組成物を噴霧もしくはしたたらせ、次に基剤の表面に組成物を移動させることを伴なう。
【０１７４】
更にもう１つの方法は例えばスクリーン印刷、ローラー印刷およびグラビア印刷を含んで成る伝統的な印刷技術に基づく。概して、印刷は回転している表面に高い部分（ｅｌｅｖａｔｉｏｎｓ）が提供され（彫り込み、浮き彫りもしくは類似の方法により）そして、高い部分が例えばそれを液化相のものを含む浴中を走行させることにより液化脂質相と接触させ、このようにして、シート上に印刷される方法を含んで成る。脂質相を適用するもう１つの方法は融解脂質相を回転しているローラー中に導入し、ローラーを覆う金属スクリーンをとおして押し出すスクリーン印刷を使用することによる。これは、スクリーンのデザインに応じて、布地上に縞、点、正方形、円等、またはロゴおよび文字すらのような一定の模様をもたらす。
【０１７５】
シート上に脂質相を適用する更なる方法はシートと直接接しているボールを液体状態の脂質相と接触させ、それを回転運動によりシート上へ移すことを含んで成るローラー−ボール適用法による。シート上の脂質相の所望の模様に応じて、相互に隣接してまたは相互に続いて固定された幾つかのこのようなローラー−ボール適用装置が存在することができる。それらは同一のもしくは異なる脂質相を含有することができる。
【０１７６】
脂質相は高圧被覆により適用することができる。本法の１態様において、脂質相は高圧下で適当なノズルをとおす押し出しにより適用される。特別な形状のノズルを使用して、具体的な模様をもたらすことができる。例えば円、星形、正方形もしくはその他の幾何学的形状もしくは更に不規則な形状の模様をもたらすノズルが存在することができる。
【０１７７】
脂質相はまた、これらの適用法の組み合わせにより適用することができる。
【０１７８】
脂質相はまた、粒子もしくは粉末として、乾燥形態でシートに適用することができる。１つの型の態様において、脂質相は例えば滴下もしくはスクリーン印刷によりビーズもしくは小カプセルとして適用される。適用後に、粒子は融解させ、それによりシート中もしくはその上に小さい点を形成する。
【０１７９】
脂質相は好ましくは液体形態で、例えばその融解形態で適用される。
【０１８０】
脂質相はシートの片面もしくは両面のいずれか、好ましくは両面に適用することができる。
【０１８１】
多層シート製品の場合には、脂質相は１枚もしくは複数のシート層上に適用することができる。これは水相にも同様に適用される。多層シートの態様は外側層が同一のもしくは異なる脂質相を有し、内側層が水相もしくはあらゆるその他の組み合わせ物を有する３層シートである。
【０１８２】
脂質相は水と混合されている間に着色されても無色であることもでき、適用後に除去されて乾燥したもしくは本質的には乾燥した製品をもたらす、液体形態で適用することができる。これに関しては「液体形態で」は脂質相がそれ自体液体であるかまたは、例えばそれがその中で適用される水中で加熱することにより、加熱により液化されることを意味する。脂質相はその過程中ずっと液体に維持される。固体の脂質相の場合には、添加された水の除去後に固化させられるだけである。１態様において、脂質相は熱水と混合され、そこで、脂質／水混合物がシートに適用される。次いで、水を蒸発させ、これは様々な方法により、例えば水を単純に蒸発させることにより、シートを１もしくは複数の加熱されたローラー上を通過させて水を強制的に蒸発させることにより、加熱されたもしくは加熱されない乾燥空気を適用することにより、減圧を適用することにより実施することができる。
【０１８３】
水が着色されている場合の実施においては、それはシート中に拡散し、その蒸発後にシートを着色させて残る。この実施に適用された脂質相は無色であることができ、その場合には、それは白色もしくはより淡い領域と見えるであろう。あるいは脂質相は着色されることができ、それは多色製品をもたらすであろう。もう１つの実施においては、この過程における脂質相が着色され、無色の水を使用すると、脂質相の領域が着色されて、その他の領域が無色である製品をもたらす。次いでこのように得られた製品を着色されたもしくは無色であることができる水相で処理して、更なる色彩組み合わせを伴なう製品をもたらすことができる。
【０１８４】
１種の態様において、脂質相はシートの片面もしくは両面に連続的もしくは非連続的に、シート上の１層として適用され、この層を圧力の適用により脂質層の表面中に型押しされている脂質層材料の粒子で点を形成される。点の材料は脂質層のものと同一でも異なってもよい。
【０１８５】
脂質相は好ましくはそれが製造工程および貯蔵中に布地の表面上に留まるであろうような方法で適用される。これは好都合には、その融解温度より上で脂質相を適用することにより、例えば、融解されている時にそれをシートの表面に噴霧もしくは被覆して、次に相が固化するように、その融点より下まで冷却させることにより、実施することができる。
【０１８６】
脂質相は好ましくは、それがその場合のその物理的位置のためにシートの表面に存在し、脂質相が使用中に皮膚上に容易に塗布の準備ができているように適用される。その結果、使用中に脂質相が皮膚に移動される有効性、利用可能性および従って有効成分の有効度は、有効物質が単に単一の連続的に適用される相中に取り込まれる場合の製品に比較して、増加される。
【０１８７】
好ましい態様においては、これがシートに液体（融解）状態の脂質相を適用させ、次にそれが冷却された後に、シート上に固体状態で存在させるので、脂質相の融点もしくは融解範囲は２５℃より高いかまたは前記に規定された温度範囲内にある。更に、これは脂質相がこの方法で適用されたシートの水相による、より好都合な、容易な後処理を可能にする。これは２相が混合もしくは反応しない方法で２相を適用させる。好ましい態様において、脂質相はそれがシート上に弱く、脆くないフィルム（ｗｅａｋ  ｎｏｎ−ｂｒｉｔｔｌｅ  ｆｉｌｍ）を形成するように適用される。このように処理されたシートは、本質的に２相の混合が回避されるために、特に、とりわけ貯蔵期間中に安定である。更にこれらのシートは皮膚と接触時に脂質相を融解させ、従って両相の局部的混合もしくは乳化を可能にするであろう。
水相
水相は払拭物を含浸するために使用されるあらゆる当該技術分野で周知の水基剤の調製物であることができる。水の外には、水相はまた、更なる成分もしくは添加剤（例えば界面活性剤、乳化剤、コンシステンシー因子、状態調節剤、加湿剤、増粘剤、保存剤、有効成分、とりわけ皮膚科学的有効成分、香料等）を含有することができる。本明細書に記載のような有効成分は例えば抗炎症剤、抗バクテリア剤、抗カビ剤および類似の薬剤を含んで成る。局所適用に適した有効成分が特に好ましい。水相は好ましくは親水性の適当な染料を含有することができる。１種の態様において、脂質相は例えばその領域が着色されている、水相のみを含む領域を残す縞の形態の１層として非連続的に適用される。これは着色された模様、例えば着色された線もしくは更に、脂質相自体も着色されている時には多色の模様すらをもつシート製品の製造を可能にする。
【０１８８】
水相は更に親油性染料を含むことができ、それは脂質相と接触すると、その相中に移行して、それを着色させる。
【０１８９】
水相は更に１種もしくは複数の保存剤、例えば、フェノキシエタノール、Ｃ１−４アルキルパラベンおよびそれらの塩、とりわけそれらのアルカリ金属塩、例えばナトリウム塩（例えばＣ１−６アルキルパラベン、例えばメチル、エチル、プロピル、イソプロピル、ブチルパラベンおよび類似のパラベン）、クロロヘキシジン、ホルムアルデヒドもしくはホルムアルデヒド放出剤、ベンジルアルコール、クロロキシレノール、フェノキシエタノール、メチルクロロイソチアゾリノン、メチルイソチアゾリノン、ナトリウムベンゾエート、クロロヘキシジンジグルコネートメチルジブロモグルタロニトリル、ナトリウムボレート、５−ブロモ−５−ニトロ−１，３−ジオキサン、アルコール、安息香酸、デヒドロ酢酸、ジアゾリジニル尿素、ジクロロベンジルアルコール、グルコースオキシダーゼ、ヘキサミジンジイセチオネート、イミダゾリジニル尿素、ヨードプロピニルブチルカルバメート、イソブチルパラベン、イソプロピルパラベン、ラクトペルオキシダーゼ、マグネシウムナイトレート、ＰＥＧ−４ラウレート、フェネチルアルコール、ポリアミノプロピルビグアニド、カリウムソルベート、プロピレングリコール、ピリドキシンＨＣｌ、クオターニウム−１５，ソルビン酸、トリクロサン、トコフェロール等を含有することができる。
【０１９０】
水相に適する界面活性剤は
アルキルサルフェート、例えばナトリウムラウリルサルフェート、アンモニウムラウリルサルフェート、ナトリウムセテアリルサルフェート、
アルキルスルホアセテート、例えばナトリウムラウリルスルホアセテート、
アルキルエーテルサルフェート、例えばナトリウムラウレスサルフェート、ナトリウムトリデセスサルフェート、ナトリウムオレスサルフェート、アンモニウムラウレスサルフェート、
アルキルエーテルスルホサクシネート、例えば二ナトリウムラウレススルホサクシネート、
アルキルグリコシド、例えばデシルグリコシド、ラウリルグリコシド、
アルキルイソチオネート、
両性化合物、例えばココアミドプロピルベタイン、ナトリウムココアンホアセテート、ナトリウムラウロアンホアセテート、二ナトリウムラウロアンホジアセテート、二ナトリウムココアンホジアセテート、ナトリウムラウロアンホプロピオネート、二ナトリウムラウロアンホジプロピオネート、前記の両性化合物のカリウムもしくはアンモニウム塩、カプリル／カプラミドプロピルベタイン、ウンデシレンアミドプロピルベタイン、ラウラミドプロピルベタインおよび脂肪アルコールポリグリコールエーテル
を含んで成る。
【０１９１】
適する状態調節剤は例えばアルキルアミドアンモニウムラクテート、セトリモニウムクロリドおよびジステアロリルエチル・ヒドロキシエチルモニウム・メトサルフェートおよびセテアリルアルコール、セチルジメチコン、セチルリシノレート、ジメチコン、ラウレス−２３、ラウレス−４、ポリデセン、レチニルパルミテート、グリセリルモノオレエートおよびココグルコシドおよびそれらの混合物から選択される薬剤（とりわけこれら２成分の混合物であるＣｏｇｎｉｓの製品’Ｌａｍｅｓｏｆｔ（Ｒ）’）、第四級化タンパク質加水分解物、第四級化セルロースおよびデンプン誘導体、アクリル酸もしくはメタクリル酸もしくは塩の第四級化コポリマー、第四級化シリコーン誘導体、シリコーン油、シクロメチコンおよび類似の薬剤、並びにそれらの混合物である。
【０１９２】
適した増粘剤は例えば、アクリレート／ステアレス−２０メタクリレートコポリマー、カーボマー、カルボキシメチルデンプン、白ろう、ジメチコン／ビニルジメチコン・クロスポリマー、プロピレングリコールアルギネート、ヒドロキシエチルセルロース、ヒドロキシプロピルメチルセルロース、シリカ、シリカジメチルシリレート、キサンタンガム、水素化ブチレン／エチレン／スチレン・コポリマーである。
【０１９３】
水相は更にキトサンおよびその誘導体、ポリアクリル酸の誘導体、ポリビニルピロリドンおよびその誘導体等のようなフィルム−形成物質を含んで成ることができる。
【０１９４】
水相はｐＨ感受性成分、すなわちｐＨの変化時に特性を変化する成分を含有することができる。ｐＨの変化はシート製品を皮膚と接触させる時に起る可能性があり、そこではｐＨが通常ｐＨ約７である製品のｐＨから、ｐＨ約５．５である皮膚のｐＨに変化する。ｐＨ感受性剤は例えば特定の乳化剤、安定剤、界面活性剤、粘度調整剤、キレート形成剤等を含んで成る。
【０１９５】
１態様において、皮膚との接触時に乳化過程が起って、水相と脂質相間の反応を起こすように、乳化剤がその乳化能を変化し、好ましくはその乳化能を増加するようなこのｐＨ範囲でｐＨ感受性である適当な乳化剤が選択される。
【０１９６】
皮膚への製品の適用時に起るｐＨの前記の変化はまた有効成分、とりわけｐＨ感受性である有効物質、例えばｐＨ依存性溶解度を有する有効成分、からの放出を促進することができる。
水相の適用
水相は噴霧、滴下、浸漬および類似の方法のような水性液体ローションを適用するための当該技術分野で周知の方法を使用してシートに適用することができる。水相に好ましい適用法は適当なノズルによる噴霧によるか、もしくは例えば穴もしくはスリットを有する穴開き管を使用することによる滴下による。浸漬法は水相を保持している浴中にシートを走行させ、次に、吸収される液量を圧縮により調節することにより実施することができる。
【０１９７】
水相は脂質相につき記載されたように、均一にもしくは非均一に、連続的にもしくは非連続的に、表面全体にもしくは表面の一部に、または好ましくはシート材料の全体にわたり、様々な方法で適用することができる。場合によってはシートの幾つかの部分は乾燥したまま残す、すなわち脂質相および水相を含まないか、または幾つかの部分は脂質相もしくは水相のみを有することができる。水相を含んで成るローションをシートの両面もしくは片面のみに適用してもよい。
【０１９８】
水相は具体的には約１．０ｇ〜約１０ｇ／基剤１ｇ、好ましくは、約２．０ｇ〜約５ｇ／基剤１ｇ、もっとも好ましくは約２ｇ〜約４．５ｇ／乾燥基剤１ｇ、もっとも好ましくは約３．７ｇ〜約３．８ｇ／基剤１ｇの量で適用される。あるいは、水相は約４〜約８ｇ／１７．２×２１ｃｍの払拭物１枚、もっとも好ましくは約６ｇ／払拭物１枚の量で適用される。
【０１９９】
すでに脂質相で被覆されていない、シートの領域（もしくはその面）のみに水相を適用することも有利であるかも知れない。
【０２００】
多くの場合に製品は清浄化用品として使用されるので、水相を清浄化物として計画することは有用である。清浄化がもっとも困難な汚れは非水溶性でそして／もしくは皮膚に強度に付着しているかいずれかである。従って水相は非水溶性物質を取り上げることができるように調製される。
更なる相
本発明のもう１つの態様においては、ポリマー物質からできた、以後ポリマー層と呼ばれる第３の層がシートに適用される。１枚もしくは複数のポリマー層をシートに適用することができる。「ポリマー層」の用語は下記で使用される場合はいつでも１枚もしくは複数のポリマー層を意味する。
【０２０１】
ポリマー層はシートの片面にも両面に適用することができる。
【０２０２】
ポリマー層はポリエチレン、ポリプロピレン、ポリエステル、シリコーン等、およびそれらの混合物のような適当なポリマーから製造される。ポリマー層は充填剤もしくは染料のようなその他の物質を含有することができる。後者の場合には、ポリマー層で被覆されるシートの領域は着色領域として存在するであろう。数枚のポリマー層が適用される場合には、異なる色彩をもつ層が使用されて、異なる着色模様をもたらすことができる。
【０２０３】
ポリマー層は脂質層の適用について記載されたものと同様にシートに適用することができる。例えばそれは連続的に、すなわちシートの全面に、または非連続的に、例えば縞、点もしくはその他の図形として模様で適用することができる。ポリマー層が全面を被覆しない場合には、脂質層はポリマー層により被覆されているシート部分および他の部分の双方を覆うことができる。
【０２０４】
脂質層をポリマー層上に適用して、二重層を形成することができる。ポリマー層は脂質層により完全に被覆される必要はなく、すなわちある部分は被覆されずに残すことができる。
【０２０５】
ポリマー層はまた、脂質層により被覆されていない部分にも適用することができる。例えば脂質層は非連続的様態で１層として適用することができ、ポリマー層は脂質層をもたない点に適用される。１つの具体的な態様においては、脂質層は縞として適用され、ポリマー層はこれらの縞の中間部分におかれて、脂質層とポリマー層の交互の縞模様を形成する。これは例えば、シートの片面に実施されることができ、他方、水相が他面に適用される。
【０２０６】
ポリマー層は、このような層を有する製品の適用時に分解されることができるように、半固体であることができる。半固体のポリマー層はワックス状、クリーム状もしくは類似のコンスティテューエンシーをもつポリマーから製造される。その場合には、ポリマー層はまた、片面もしくは両面を覆い、一部もしくは全面を覆うシート上の外部被膜として適用することができる。それはまた、脂質層の一部もしくは全面を覆うこともできる。
【０２０７】
ポリマー層を覆う脂質層は着色されても無着色でもよい。前者の場合には、ポリマー層は着色されてもよいが、好ましくは無色もしくは白色である。脂質層が無着色である場合には、ポリマー層は白色もしくは無着色でもよいが、好ましくは着色される。
【０２０８】
ポリマー層は使用者の皮膚への、その上に覆われている脂質層の移動を改善もしくは促進するために適用することができる。着色ポリマー層もしくは着色脂質層もしくは双方を使用することにより、シート製品が使用され、脂質層が皮膚に移動される時に、色彩の出現、消失もしくは好ましくは変化がもたらされる。
【０２０９】
ポリマー層はポリマー層でシート様物質を覆うための当該技術分野で知られた方法を使用してシートに適用される。例えばポリマー層はスクリーン印刷、グラビア印刷、ローラー印刷、エンボス加工、噴霧、滴下、浴中に浸漬および類似の方法により適用することができる。
【０２１０】
本発明の幾つかの態様において、製品は水相に対して異なる安定度をもつ２種以上の脂質相を含有することができる。これは１相を他相よりも水相とより急速に反応させる。これは段階的な有効成分または２種以上の有効成分の継続的放出が所望される製品における適用を見いだすことができる。
１相もしくは両相のいずれかのための追加的成分
脂質相および／もしくは水相は１相もしくは両相中に存在することができる更なる成分を含有することができる。
有効成分
脂質相および／もしくは水相は更に皮膚に対する適用のための有効成分を含有することができる。脂質相は好ましくは油溶性もしくは疎水性有効成分を含有し、他方水相は好ましくは水溶性もしくは親水性有効成分を含有する。しかし適当な乳化剤を使用することにより、油溶性もしくは親油性有効成分を水相中に取り込むことができ、その反対に水溶性もしくは親水性剤を脂質相中に取り込むことができる。
【０２１１】
１種もしくは複数の有効成分を含有する脂質相および／もしくは水相を有する製品が本発明の特に魅力的な態様を構成する。特に好ましい態様は有効成分が脂質相中に存在するものである。
【０２１２】
有効成分は具体的な組み合わせ物中に存在することができる。
【０２１３】
親油性もしくは親水性であることができる有効成分は適当な担体と混合もしくはそれの中に取り入れることができる。これらは有効成分を調製するために知られている、皮膚に許容できるあらゆる不活性物質を含んで成る。担体は微細にもしくはより粗く分散された粉末または顆粒すらであることができる。それらはデンプン、糖、結合剤、潤滑剤、希釈剤、充填剤、崩壊剤、顆粒化剤および類似の成分を含んで成ることができる。担体物質の特性はその中に処方されている有効成分および所望される調製物の種類に左右されるであろう。
【０２１４】
有効成分を取り入れるための具体的な担体は有効成分がある形態で捕捉されているビーズである。「ビーズ」もしくは「ポリマービーズ」の用語は、モノ−もしくはポリマーマトリックスまたはカプセル中に有効成分を封入、被覆もしくは含有する、あらゆる形態の離散した、自由流動性粉末、ビーズもしくはカプセルを含んで成ることを意味する。これらの用語はまた、多孔質のビーズもしくは「ミクロスポンジ」および「ミクロカプセル」を含むことが意味され、後者はよりサイズの小さいビーズである。ビーズはビーズの中味を保護し、その中に捕捉された有効成分の放出を制御する適当な被覆材料で覆われることができる。被膜が不活性なコア上に重ねられる場合にはビーズ自体上の被膜が有効成分を含有することができる。
【０２１５】
ビーズ中に有効成分を調製することは環境因子から有効成分を保護するためであることができるが、大部分は有効成分の制御された放出を可能にするために実施される。
【０２１６】
具体的な種類のビーズは、その平均直径は２００ｎｍまで小さいことができるが、ミクロメーターの範囲の平均直径を有する小ビーズもしくはカプセルである。
【０２１７】
この種類のカプセルは例えばレシチン、ホスファチジルエタノールアミン、ホスファチジルセリン、ホスファチジン酸等のようなリン脂質から製造されたリポソーム基剤であることができる。この種類のカプセルはまた、デンプン、セルロース、多孔質ゼラチン等から製造することができる。
【０２１８】
カプセルもしくはビーズはまた、１ｍｍもしくは０．１ｍｍの範囲の平均サイズを有する、比較的大きなものであることができる。この種類のカプセルもしくはビーズは寒天、グリコール酸ポリマーのような物質および、水、鉱油、グリセリンのような更なる成分から製造することができる。それらは保存剤、１種もしくは複数の染料等のような更なる成分を含有することができる。
【０２１９】
もう１つの種類のビーズもしくはミクロカプセルはミクロスポンジである。これらは大きい内面をもつ、約５〜約３００μｍ（平均直径）のサイズをもつ物質である。これらは具体的なモノマーの重合により得られる。有効成分はこの重合過程中もしくはその後のいずれかにその中に捕捉されることができる。ミクロスポンジ基剤の担体はその中に捕捉された有効成分を保護するためまたは制御放出の目的のために使用することができる。
【０２２０】
カプセルは場合により、１種もしくは複数の適当な崩壊剤、とりわけ本明細書に記載のものを含有することができる。崩壊剤は適当な外的因子と接すると、カプセルを破壊させて、その中に捕捉された有効物質の放出を可能にするであろう。
【０２２１】
カプセルは脂質相もしくは水相もしくはそれら両相中に取り入れることができる。それらはまた、脂質相および水相の導入前にシートに適用することができる。それらはシート自体の製造工程中に導入することすらできる。
【０２２２】
ビーズもしくはカプセルからの有効成分の放出は被膜もしくはマトリックスの破裂の結果であることができる。これは圧力、歪のような物理的因子の結果、またはシート製品の使用時のせんだん応力により、例えば製品を皮膚もしくは表面にこすることによるものである可能性がある。有効成分の放出はビーズもしくはその被膜の半透過性もしくは多孔質の特性によるかあるいは有効成分を抽出させるかまたはビーズもしくはその被膜を溶解もしくは崩壊させる、液体溶媒との接触のような外的因子によりあるいは温度効果による可能性がある。カプセルはまた、特定の化学薬品の影響下で、とりわけカプセル中に取り入れられた崩壊剤により崩壊することができる。後者の具体的な態様は、水と接すると、例えばシート製品使用時に水相との接触時にカプセルを崩壊させる、適量のバイカーボネートおよび有機酸を含有するカプセルである。
【０２２３】
ビーズもしくはカプセルは例えばエマルション重合による当該技術分野で周知の方法に従って製造することができる。
【０２２４】
ビーズもしくはカプセルはシートのどの部分にも適用することができるが、好ましくはそれらはシートの表面もしくは表面の上方部分に集約される。これは製品が適用される皮膚もしくは表面への有効成分の最大の移動を可能にする。
【０２２５】
ビーズもしくはカプセルはふりかけ、篩い、噴霧および類似の方法により乾燥形態でシートに適用することができる。それらはまた、適当な液体もしくはペーストの形態で印刷もしくはローラー被覆することができる。それらはま、ビーズに対して不活性な溶媒であることができる適当な液体または水もしくは水相と混合して、シート上に噴霧することができる。
【０２２６】
本発明の製品中への使用のための疎水性もしくは親水性であることができる有効物質の例は抗微生物剤、例えば抗バクテリア剤および抗カビ剤、抗炎症剤、抗刺激化合物、抗掻痒剤、加湿剤、皮膚手入れ成分、植物抽出物、ビタミン等を含んで成る。これらの成分の例はＰＶＰおよび過酸化水素の複合体、抗炎症剤、例えば植物抽出物、ビスアボロール、パンテノール、トコフェロール、虫さされのための有効成分、抗刺激剤、フケ抑制剤、老化抑制剤、例えばレチノール、メリビオース等を含んで成る。その他の適当な有効成分は例えばアルファルファ（Ｍｅｄｉｃａｇｏ  ｏｆｆｉｃｉａｎａｌｉｓ）、キーウィーフルーツ（Ａｃｔｉｎｉｄｉａ  ｃｈｉｎｅｎｓｉｓ），アラントイン、アロエ・バルバデンシス（Ａｌｏｅ  ｂａｒｂａｄｅｎｓｉｓ）、チェリモヤ（Ａｎｏｎａ  ｃｈｅｒｉｍｏｌｉａ）、ローマカミルレ（Ａｎｔｈｅｍｉｓ  ｎｏｂｉｌｉｓ）、ラッカセイ（Ａｒａｃｈｉｓ  ｈｙｐｏｇａｅａ）、ウサギギク（Ａｒｎｉｃａ  ｍｏｎｔａｎａ）、エンバク（Ａｖｅｎａ  ｓａｔｉｖａ）、ベータカロテン、ビスアボロール、ルリヂサ（Ｂｏｒａｇｏ  ｏｆｆｉｃｉｎａｌｉｓ）、ブチレングリコール、キンセンカ（Ｃａｌｅｎｄｕｌａ  ｏｆｆｉｃｉｎａｌｉｓ）、チャ（Ｃａｍｅｌｌｉａ  ｓｉｎｅｎｓｉｓ）、樟脳、カンジダ・ボンビコーラ（Ｃａｎｄｉｄａ  ｂｏｍｂｉｃｏｌａ）、カプリロイルグリシン、パパイヤ（Ｃａｒｉｃａ  ｐａｐａｙａ）、ヤグルマギク（Ｃｅｎｔａｕｒｅａ  ｓｙａｎｕｓ）、セチルピリジニウム・クロリド、カモミラ・レキュチタ（Ｃｈａｍｏｍｉｌｌａ  ｒｅｃｕｔｉｔａ）、キノア（Ｃｈｅｎｏｐｏｄｉｕｍ  ｑｕｉｎｏａ）、キンチョーナ・スクシルブラ（Ｃｈｉｎｃｈｏｎａ  ｓｕｃｃｉｒｕｂｒａ）、トチャカ（Ｃｈｏｎｃｒｕｓ  ｃｒｉｓｐｕｓ）、ダイダイ（Ｃｉｔｒｕｓ  ａｕｒａｎｔｉｕｍ  ｄｕｌｃｉｓ）、ブンタン（Ｃｉｔｒｕｓ  ｇｒａｎｄｉｓ）、レモン（Ｃｉｔｒｕｓ  ｌｉｍｏｎｕｍ）、ココヤシ（Ｃｏｃｏｓ  ｎｕｃｉｆｅｒａ）、アラビアコーヒーノキ（Ｃｏｆｆｅａ  ａｒａｂｉｃａ）、サンザシ（Ｃｒａｔａｅｇｕｓ  ｍｏｎｏｇｉｎａ）、メロン（Ｃｕｃｕｍｉｓ  ｍｅｌｏ）、ジクロロフェニルイミダゾールジオキソラン、アオノリ（Ｅｎｔｅｒｏｍｏｒｐｈａ  ｃｏｍｐｒｅｓｓａ）、スギナ（Ｅｑｕｉｓｅｔｕｍ  ａｒｖｅｎｓｅ）、エトキシジグリコール、エチルパンテノール、ファルネソール、フェルラ酸、野生イチゴ（Ｆｒａｇａａｒｉａ  ｃｈｉｌｏｅｎｓｉｓ）、ゲンチアナ（Ｇｅｎｔｉａｎａ  ｌｕｔｅａ）、イチョウ（Ｇｉｎｋｇｏ  ｂｉｌｏｂａ）、グリセリン、グリセリルラウレート、スペインカンゾウ（Ｇｌｙｃｙｒｒｈｉｚａ  ｇｌａｂｒａ）、アメリカマンサク（Ｈａｍａｍｅｌｉｓ  ｖｉｒｇｉｎｉａｎａ）、ヘリオトロピン、水素化ヤシグリセリド、サイトレート、水素化ヒマシ油、加水分解小麦タンパク質、セイヨウオトギリソウ（Ｈｙｐｅｒｉｃｕｍ  ｐｅｒｆｏｒａｔｕｍ）、ニオイイリス（Ｉｒｉｓ  ｆｌｏｒｅｎｔｉｎａ）、ヨーロッパネズ（Ｊｕｎｉｐｅｒｕｓ  ｃｏｍｍｕｎｉｓ）、タンパク質乳酸（ｌａｃｔｉｓ  ｐｒｏｔｅｉｎｕｍ）、ラクトース、シユウカ（Ｌａｗｓｏｎｉａ  ｉｎｅｒｍ��ｓ）、リナロール、アマ（Ｌｉｎｕｍ  ｕｓｉｔａｔｉｓｓｉｍｕｍ）、リシン、マグネシウムアルパルテート、マグニフェラ・インディカ（ｍａｇｎｉｆｅｒａ  ｉｎｄｉｃａ）、ゼニアオイ（Ｍａｌｖａ  ｓｙｌｖｅｓｔｒｉｓ）、マニトール、蜂蜜、ティーツリー（Ｍｅｌａｌｅｕｃａ  ａｌｔｅｒｎｉｆｏｒｉａ）、セイヨウハッカ（Ｍｅｎｔｈａ  ｐｉｐｅｒｉｔａ）、メントール、メンチルラクテート、オジギソウ（Ｍｉｍｏｓａ  ｔｅｎｕｉｆｌｏｒａ）、スイレン（Ｎｙｍｐｈａｅａ  ａｌｂａ）、オラフルール（ｏｌａｆｌｕｒ）、イネ（Ｏｒｙｚａ  ｓａｔｉｖａ）、パンテノール、流動パラフィン、ＰＥＧ−２０Ｍ，ＰＥＧ−２６ジョジョバ酸、ＰＥＧ−２６ジョジョバアルコール、ＰＥＧ−３５ヒマシ油、ＰＥＧ−４０水素化ヒマシ油、ＰＥＧ−６０水素化ヒマシ油、ＰＥＧ−８カプリル酸／カプリン酸、アボカド（Ｐｅｒｓｅａ  ｇｒａｔｉｓｓｉｍａ）、ペトロラタム、カリウムアルパルテート、カリウムソルベート、プロピレングリコール、カンペントウ（Ｐｒｕｎｕｓ  ａｍｙｇｄａｌｕｓ  ｄｕｌｃｉｓ）、アンズ（Ｐｒｕｎｕｓ  ａｒｍｅｎｉａｃａ）、モモ（Ｐｒｕｎｕｓ  ｐｅｒｓｉｃａ）、レチニルパルミテート、トウゴマ（Ｒｉｃｉｎｕｓ  ｃｏｍｍｕｎｉｓ）、バラ（Ｒｏｓａ  ｃａｎｉｎａ）、マンネンロウ（Ｒｏｓｍａｒｉｎｕｓ  ｏｆｆｉｃｉｎａｌｉｓ）、キイチゴ（Ｒｏｂｕｓ  ｉｄａｅｕｓ）、サリチル酸、セイヨウニワトコ（Ｓａｍｂｕｃｕｓ  ｎｉｇｒａ）、サルコシン、セレノア・セルラタ（Ｓｅｒｅｎｏａ  ｓｅｒｒｕｌａｔａ）、シモンドシア・キネンシス（Ｓｉｍｍｏｎｄｓｉａ  ｃｈｉｎｅｎｓｉｓ）、ナトリウムカルボキシメチルベータグルカン、ナトリウムココイルアミノ酸、ナトリウムヒアルロネート、ナトリウムパルミトイルプロリン、ステアロキシトリメチルシラン、ステアリルアルコール、硫化ＴＥＡ−リシノレート、タルク、タチジャコウソウ（Ｔｈｙｍｕｓ  ｖｕｌｇａｒｉｓ）、フユボダイジュ（Ｔｉｌｉａ  ｃｏｒｄａｔａ）、トコフェロール、トコフェリルアセテート、トリデセス−９、コムギ（Ｔｒｉｔｉｃｕｍ  ｖｕｌｇａｒｅ）、チロシン、ウンデシレノイルグリシン、尿素、クランベリー（Ｖａｃｃｉｎｉｕｍ  ｍｙｒｔｉｌｌｌｕｓ）、バリン、酸化亜鉛、硫酸亜鉛等である。
【０２２７】
刺激され、赤いもしくは損傷された炎症反応を示す皮膚を処置するために使用することができる有効成分が特に興味深い。これらの薬剤の例は亜鉛化合物もしくは硫黄である。
【０２２８】
使用することができる更なる有効成分は商品名ＧｅｎｅｒｏｌＴＭとして知られている。これらはエトキシル化および非エトキシル化フィトステリンを含んで成る。
【０２２９】
有効成分は成分の性状およびそれらの適用に応じて様々な濃度で存在することができるが、通常は脂質相のもしくは水相の総重量に対して０．０１〜１０％（ｗ／ｗ）、好ましくは０．１〜７％（ｗ／ｗ）そしてより好ましくは１〜５％（ｗ／ｗ）の範囲の量で存在する。
【０２３０】
抗微生物剤の具体的な例はグラム−陽性菌に対して活性なもの、例えば２，４，４’−トリクロロ−２’−ヒドロキシジフェニルエーテル、クロロヘキシジン（１，６−ジ−（４−クロロフェニル−ビグアニド）ヘキサン）もしくはＴＣＣ（３，４，４’−トリクロロカルボアニリド）である。更に多数の臭気剤およびエーテル油が抗微生物作用を有する。具体的な例はクローブ、ミンドおよびタイム油中の有効成分のオイゲノール、メントールおよびチモールである。抗微生物特性を有する更に興味深い天然の脱臭剤はテルペンアルコールのファルネソール（３，７，１１−トリメチル−２，６，１０−ドデカトリエン−１−オール）およびキトサンである。グリセリンモノラウレート、グリセリンステアレート、グリセリンオレエート並びにグリセリンジオレエートも抗微生物作用を有することが見いだされ、それらの緩和性および副作用のないことのために、赤子に適用される製品中への使用に特に魅力的である。抗微生物剤の量は様々であることができるが、通常は脂質相および／もしくは水相の総量に対して約０．１〜２％（ｗ／ｗ）の範囲内にある。グリセリンエステルはより大量に使用することができる（前記参照）。
【０２３１】
生物源の有効成分は例えば、トコフェロール、トコフェロールアセテート、トコフェロールパルミテート、アスコルビン酸、デスオキシリボ核酸、レチノール、ビスアボロール、アラントイン、フィタントリオール、パンテノール、α−ヒドロキシカルボン酸、アミノ酸、セラミド、シュウドセラミド、必須油、抽出物およびビタミン複合体である。
加湿剤
脂質相および／もしくは水相は更に１種もしくは複数の加湿剤を含有することができる。これらは感触性を改善し並びに皮膚の水和を調節するために添加される。これらの薬剤は更にシート中のもしくはその中への組成物の浸透を改善することができる。
【０２３２】
加湿剤は具体的には脂質相および／もしくは水相の総量に対して１〜２０％（ｗ／ｗ）、好ましくは５〜１５％（ｗ／ｗ）、そしてより好ましくは５〜１０％（ｗ／ｗ）の量で存在する。
【０２３３】
適当な加湿剤はａ．ｏ．アミノ酸、ピロリドンカルボン酸、乳酸およびその塩、ラクチトール、尿素および尿素誘導体、尿酸、グルコサミン、クレアチニン、コラーゲンの加水分解生成物、キトサンもしくはキトサン塩／キトサン誘導体、およびとりわけポリオールおよびポリオール誘導体（例えばエチレングリコール、プロピレングリコール、ブチレングリコール、ペンチレングリコール、ヘキシレングリコール、エリスライト、１，２，６−ヘキサントリオール、ポリエチレングリコール（例えばＰＥＧ−４、ＰＥＧ−６、ＰＥＧ−７、ＰＥＧ−８、ＰＥＧ−９、ＰＥＧ−１０、ＰＥＧ−１２、ＰＥＧ−１４、ＰＥＧ−１６、ＰＥＧ−１８、ＰＥＧ−２０、ＰＥＧ−１３５、ＰＥＧ−１５０）、糖および糖誘導体（ａ．ｏ．フラクトース、グルコース、マルトース、マルチトール、マンナイト、イノサイト、ソルバイト、ソルビチルシランジオール、蔗糖、トレハソース、キシロース、キシリット、グルクロン酸およびその塩）、エトキシル化ソルビトール（Ｓｏｒｂｅｔｈ−６、Ｓｏｒｂｅｔｈ−２０、Ｓｏｒｂｅｔｈ−３０、Ｓｏｒｂｅｔｈ−４０）、蜂蜜および水素化蜂蜜、水素化デンプン加水分解物、並びに水素化コムギタンパク質、加水分解牛乳タンパク質、レシチン、ピサントリオール、ヒアルロン酸およびその塩の混合物、並びにＰＥＧ−２０−アセテートコポリマー、である。特に好ましい加湿剤はグリセリン、ジグリセリンおよびトリグリセリンである。
【０２３４】
本発明に従う製品は制汗剤もしくは脱臭剤として、とりわけこれらの適用における使用のための払拭物もしくはティッシューとして使用することができる。これらの適用のための製品中には、１相もしくは両相のいずれかが脱臭および／もしくは制汗性を有する有効成分を含有する。この目的に使用することができる有効成分は例えばアルミニウムクロロハイドレート、アルミニウム−ジルコニウム−クロロハイドレート並びに亜鉛塩のような制汗剤である。その他のこのような薬剤はアルミニウムヒドロキシラクテート並びに酸アルミニウム／ジルコニウム塩を含んで成る。特に適当なクロロハイドレートは式［Ａｌ２（ＯＨ）５Ｃｌ］・２．５Ｈ２Ｏの化合物である。更なるこのような薬剤はアルミニウム−ジルコニウム−テトラクロロヒドロキシ−グリシン−複合体である。更なる脱臭剤として、エステラーゼ阻害剤、すなわちトリアルキルサイトレート（例えばトリメチルサイトレート、トリプロピルサイトレート、トリイソプロピルサイトレート、トリブチルサイトレートおよびとりわけトリエチルサイトレート）のような薬剤を添加することができる。更なるエステラーゼ阻害剤はステロールサルフェートもしくは−ホスフェート（例えばラノステリン−、コレステリン−、カンペステリン−、スチグマステリン−およびシトステリンサルフェート、好ましくは−ホスフェート、ジカルボン酸およびそれらのエステル（例えば、グルタル酸、グルタル酸モノエチルエステル、グルタル酸ジエチルエステル、アジピン酸、アジピン酸モノエチルエステル、アジピン酸ジエチルエステル、マロン酸およびマロン酸ジエチルエステル）、ヒドロキシカルボン酸およびそれらのエステル（例えばクエン酸、マロン酸、酒石酸もしくは酒石酸ジエチルエステル）である。
【０２３５】
生育条件に影響を与え、発汗分解菌を殺すかもしくはそれらの生育を妨げる抗菌活性成分もまた脂質相および／もしくは水相中に存在することができる。これらの成分の例はキトサン、フェノキシエタノールおよびクロロヘキシジングルコネートおよびとりわけ５−クロロ−２−（２，４−ジクロロフェノキシ）−フェノールである。
【０２３６】
本発明に従う製品はまた、日焼け止めの適用物中にも使用することができ、その場合には、日焼け止め払拭物の形態を採ることができる。これらの製品中の脂質相および／もしくは水相は、例えば紫外線を吸収し、吸収されたエネルギーをより長波長の光線、例えば熱エネルギーとして廃棄することができる有機物質である、１種もしくは複数の日焼け止めフィルターを含有する。ＵＶＢ−フィルターは油溶性でももしくは水溶性でもよい。油溶性物質としては例えば、
・３−ベンジリデンカンファー、好ましくは３−ベンジリデンノルカンファーおよびその誘導体、例えば、３−（４−メチルベンジリデン）カンファー、
・４−アミノ安息香酸誘導体、好ましくは４−（ジメチルアミノ）安息香酸２−エチルヘキシルエステル、４−（ジメチルアミノ）安息香酸２−オクチルエステルおよび４−（ジメチルアミノ）安息香酸アミルエステル、
・ケイ皮酸のエステル、とりわけ４−メトキシケイ皮酸２−エチルヘキシルエステル、４−メトキシケイ皮酸プロピルエステル、４−メトキシケイ皮酸イソアミルエステル、２−シアノ−３，３−フェニルケイ皮酸２−エチルヘキシルエステル（オクトクリレン）、
・サリチル酸のエステル、好ましくはサリチル酸２−エチルヘキシルエステル、サリチル酸４−イソプロピルベンジルエステル、サリチル酸ホモメンチルエステル、
・ベンゾフェノンの誘導体、とりわけ２−ヒドロキシ−４−メトキシベンゾフェノン、２−ヒドロキシ−４−メトキシ−４’−メチルベンゾフェノン、２，２’−ジヒドロキシ−４−メトキシベンゾフェノン、
・ベンザルマロン酸のエステル、とりわけ４−メトキシベンザルマロン酸ジ−２−エチルヘキシルエステル、
・トリアジン誘導体、例えば２，４，６−トリアニリノ（ｐ−カルボ−２’−エチル−１’−ヘキシルオキシ）−１，３，５−トリアジンおよびオクチルトリアゾン、
・プロパン−１，３−ジオン、例えば１−（４−ｔｅｒｔ．ブチルフェニル）−３−（４’−メトキシフェニル）プロパン−１，３−ジオン、
・ケトトリシクロ（５．２．１．０）デカン誘導体、
を挙げることができる。
【０２３７】
水溶性ＵＶ−フィルターは例えば、
・２−フェニルベンズイミダゾール−５−スルホン酸およびそのアルカリ−、アルカリ土類−、アンモニウム−、アルキルアンモニウム−、アルカノールアンモニウム−およびグルカモニウム塩、
・ベンゾフェノンのスルホン酸誘導体、とりわけ２−ヒドロキシ−４−メトキシベンゾフェノン−５−スルホン酸およびその塩、
・３−ベンジリデンカンファーのスルホン酸誘導体、例えば４−（２−オキソ−３−ボルニリデンメチル）ベンゾール−スルホン酸および２−メチル−５−（２−オキソ−３−ボルニリデン）スルホン酸およびその塩
である。
【０２３８】
使用することができる具体的なＵＶ−Ａフィルターはベンゾイルメタンの誘導体、例えば１−（４’−ｔｅｒｔ．ブチルフェニル）−３−（４’−メトキシフェニル）プロパン−１，３−ジオン、４−ｔｅｒｔ．ブチル−４’−メトキシジベンゾイルメタン（Ｐａｒｓｏｌ  １７８９）もしくは１−フェニル−３−（４’−イソプロピルフェニル）−プロパン−１，３−ジオンである。ＵＶ−ＡおよびＵＶ−Ｂフィルターの混合物も明らかに使用することができる。
【０２３９】
前記の可溶性物質の外に、更に不溶性の日焼け止め顔料、すなわち微細分散金属酸化物もしくは金属塩を使用することができる。適当な金属酸化物の例はとりわけ酸化亜鉛および二酸化チタン並びに鉄、ジルコニウム、シリコン、マンガン、アルミニウムおよびセリウムの酸化物並びにそれらの混合物である。使用することができる塩はシリケート（滑石剤）、硫酸バリウムもしくはステアリン酸亜鉛を含んで成る。これらの顔料の粒子サイズは十分に小さく、例えば１００ｎｍ未満、とりわけ５と５０ｎｍの間、そして更にとりわけ１５と３０ｎｍの間である。粒子は球状であることができるが、楕円形もしくは類似の形状のようなその他の形状をもつこともできる。顔料の表面は処理されている、例えば親水性化もしくは疎水性にさせることができる。具体的な例は被覆二酸化チタン、例えばＴｉｔａｎｉｕｍ  ｄｉｏｘｉｄｅ  Ｔ  ８０５（Ｄｅｇｕｓｓａ）もしくはＥｕｓｏｌｅｘ（Ｒ）Ｔ  ２０００（Ｍｅｒｃｋ）である。シリコーン、とりわけトリアルコキシオクチルシランもしくはシメチコンを疎水性被覆剤として使用することができる。いわゆるミクロ−もしくはナノ顔料は日焼け止め製品中への使用に特に魅力的である。
【０２４０】
前記の一次光線遮蔽フィルターの両群の外に、更に二次的光線遮蔽因子を使用することができる。これらは抗酸化剤の群に属し、それらの作用は皮膚中への透過時の太陽光線により誘起される光化学過程の遮断もしくは減少に基づく。
【０２４１】
二次的光線遮蔽剤の具体的な例はアミノ酸、例えばグリシン、ヒスチジン、チロシンおよびトリプロファンおよびアミノ酸の誘導体、イミダゾール（例えばウロカニン酸）およびそれらの誘導体、Ｄ，Ｌ−カルノシン、Ｄ−カルノシン、Ｌ−カルノシンおよびそれらの誘導体（例えばアンセリン）のようなペプチドである。使用することができる更なる薬剤はカロチノイド、カロテン（例えばα−カロテン、β−カロテンおよびリコペン）およびそれらの誘導体、クロロゲン酸およびその誘導体、リポ酸およびその誘導体（例えばジヒドロリポ酸）、アウロチオグルコース、プロピルチオウラシルおよび他のチオール（例えばチオレドキシン、グルタチオン、システイン、シスタミン並びにグリコシル−、Ｎ−アセチル−、メチル−、エチル−、プロピル−、アミル−、ブチル−およびラウリル−、パルミトイル−、オレイル−、γ−リノレイル−、コレステリル−およびグリセリルエステル）およびそれらの塩である。更なる例はジラウリルチオジプロピオネート、ジステアリルチオジプロピオネート、チオジプロピオン酸およびそれらの誘導体（例えばエステル、エーテル、ペプチド、脂質、ヌクレオチド、ヌクレオシドおよび塩）、スルホキシイミン化合物（例えばブチオニン・スルホキシイミン、ホモシステイン・スルホキシイミン、ブチオニン・スルホン、ペンタ−、ヘキサ−およびヘプタチオニン・スルホキシイミン）である。これらの二次的薬剤は通常非常に低濃度（例えばｐモル〜μモル／ｋｇ）に調製される。
【０２４２】
その他の二次的薬剤（通常、前記のように低濃度の）はキレート形成剤（例えばα−ヒドロキシ脂肪酸、パルミチン酸、フィチン酸、ラクトフェリン）、α−ヒドロキシ酸（例えばクエン酸、乳酸、リンゴ酸）、フミン酸、胆汁酸、胆汁抽出物、ビリルビン、ビリベルジン、ＥＤＴＡ、ＥＧＴＡおよびそれらの誘導体、不飽和脂肪酸およびそれらの誘導体（例えば□−リノレン酸、リノール酸、オレイン酸）、葉酸およびその誘導体、ユビキノンおよびユビキノールおよびそれらの誘導体、ビタミンＣおよびその誘導体（例えば、アスコルビルパルミテート、Ｍｇアスコルビルホスフェート、アスコルビルアセテート)、トコフェロールおよびその誘導体（例えばビタミンＥアセテート）、ビタミンＡおよびその誘導体（例えばビタミンＡパルミテート）、安息香酸のコニフェリルベンゾエート、ルチン酸およびその誘導体、□−グリコシルルチン、フェルラ酸、フルフリリデングルシトール、カルノシン、ブチルヒドロキシトルエン、ブチルヒドロキシアニソール、ノルジヒドログアヤク樹脂酸、ノルジヒドログアヤレチン酸、トリヒドロキシブチロフェノン、尿酸およびその誘導体、マンノースおよびその誘導体、超酸化物−ジスムターゼ、亜鉛およびその誘導体（例えば酸化亜鉛、硫酸亜鉛)、セレンおよびその誘導体（例えばセレノ−メチオニン）、スチルベンおよびそれらの誘導体（例えば酸化スチルベン、トランス酸化スチルベン）並びにこれらのＵＶフィルターのあらゆる適当な誘導体である。
【０２４３】
審美学的動態を改善するために、屈水性誘発物質、例えばエタノール、イソプロピルアルコールもしくはポリオールを添加することができる。使用することができるポリオールはとりわけ２〜１５炭素原子および少なくとも２個のヒドロキシ基を有し、場合によっては、アミノもしくはその他の窒素に基づいた置換基のような更なる置換基を有する。幾つかのこれらの化合物は加湿剤の中で記述された。具体的な例は
・グリセリン、
・アルキレングリコール、例えばエチレングリコール、ジエチレングリコール、プロピレングリコール、ブチレングリコール、ヘキシレングリコール並びに１００〜１０００ダルトンの平均分子量を有するポリエチレングリコール、
・１．５〜１０の縮合度をもつ工業的オリゴクリセリン混合物、例えば４０〜５０％（ｗ／ｗ）のジグリセリンを含む工業的ジグリセリン混合物、
・メチロール化合物、例えばとりわけトリメチロールエタン、トリメチロールプロパン、トリメチロールブタン、ペンタエリスライトおよびジペンタエリスライト、
・低級アルキルグルコシド、とりわけアルキル残基中に１〜８炭素原子をもつもの、例えばメチル−およびブチルグルコシド、
・５〜１２炭素原子をもつ糖アルコール、例えばソルビットもしくはマンニット、
・５〜１２炭素原子をもつ糖、例えばグルコースもしくはサッカロース、
・アミノ糖、例えばグルカミン、
・ジアルコールアミン、例えばジエタノールアミンもしくは２−アミノ−１，３−プロパンジオール、
である。
【０２４４】
自己日焼け剤（ｓｅｌｆ−ｔａｎｎｉｎｇ  ａｇｅｎｔｓ）としてはジヒドロキシアセトンを添加することができる。
【０２４５】
香油としては合成もしくは天然の香気物質からの混合物を挙げることができる。天然の香気物質は花（ユリ、ラベンダー、バラ、ジャスミン、橙花、イランイランノキ）、茎および葉（ゼラニウム、パチョリ、プチグレイン）、果実（アニス、コリアンダー、キャラウェー、トショウ）、外皮（ベルガモット、レモン、オレンジ）、根（マシス（ｍａｃｉｓ）、アンジェリカ、セロリ、カルダモン、コスタス（ｃｏｓｔｕｓ）、アイリス、カルム）、木（マツ、ビャクタン、ユソウボク、ヒマラヤスギ、バラ）、薬草および草（タラゴン、レモングラス、セージ、タイム）、針葉および枝（トウヒ、モミ、マツ、マウンテンパイン）、樹脂およびバルサム（ガルバヌム、エレミ、ベンゾイン、ラム酒、乳香、オポパナックス）からの抽出物である。更なる動物の香気物質、例えばシベット香および海狸香を使用することができる。具体的な合成の香気物質はエステル、エーテル、アルデヒド、ケトン、アルコールおよび炭化水素の群の生成物である。
【０２４６】
芳香成分として主に使用される低揮発性のエーテル性油、例えばセージ、カモミール、クローブ、バルサム、ミント、シナモンの葉、ライムの花、トショウ、ベチベル、乳香、ガルバヌム、ラボラヌムおよびラバンジンを香油として役立てるために添加することができる。具体的な油はベルガモット、ジヒドロ−ミルセノール、リリアール、リラール（ｌｙｒａｌ）、シトロネロール、フェニルエチルアルコール、α−ヘキシルケイ皮酸アルデヒド、ゲラニオール、ベンジルアセトン、シクラメンアルデヒド、リナロオール、ボイスアンブレン・フォルテ、アンブロキサン、インドール、ヒジオン、サンデリス、レモン、マンダリン、オレンジ、アリルアミルグリコレート、シクロヴェルタール、ラバンジン、ムスカテラーセージ、β−ダマスコン、ゼラニウムブルボン、シクロヘキシルサリシレート、ベルトフィックスコエール、イソ−Ｅ−スーパー、フィクソリドＮＰ、エベルニル、イラルデインガンマ、フェニル酢酸、ゲラニルアセテート、ベンジルアセテート、ローズオキシド、ロミルラート、イロチルおよびフロラメート、またはそれらの混合物である。
【０２４７】
脂質相および／もしくは水相は脂質相および／もしくは水相の総量に対して０．００１〜０．１％（ｗ／ｗ）の範囲内の量で存在することができる化粧品として許容できる染料を含有することができる。油溶性染料は好ましくは脂質相中に、そして水溶性染料は水相中に使用される。脂質相は好ましくは、１種もしくは複数の染料を含有し、水相は含有しない。脂質相中に使用することができる染料は例えば油溶性染料のＣ．Ｉ．シリーズ、例えばＣ．Ｉ．４７０００、Ｃ．Ｉ．６７５６５、Ｃ．Ｉ．２６１００、Ｃ．Ｉ．６０７２５、Ｃ．Ｉ．１２１５０、Ｃ．Ｉ．７５８１０、Ｃ．Ｉ．７５３００である。
【０２４８】
染料の添加は、脂質相中に取り込まれた具体的な（有効）成分のメッセージを送ることにより、使用者に可視的教示を提供する利点を有する。それは更に、相の安定性を可視化させ、とりわけシート上に適用された脂質相を容易に可視化することができる。これは例えば貯蔵期間中に油相と水相が混合されたかどうかをモニターさせる。
【０２４９】
乳化剤
本発明の製品中の脂質相および／もしくは水相は更にＷ／Ｏ型（脂質相中に使用のため）もしくはＯ／Ｗ型（水相中に使用のため）であることができる１種もしくは複数の乳化剤を含有することができる。乳化剤の添加は親水性成分もしくは薬剤の脂質相中への取り込みをそして反対に、親油性成分もしくは薬剤の水相中への取り込みを可能にする。
【０２５０】
具体的には良好な皮膚相容性を有する非イオン性乳化剤が好ましい。非イオン物質のＷ／ＯおよびＯ／Ｗ乳化剤を組み合わせると、改善された触感性を得る。脂質相および／もしくは水相は脂質相および／もしくは水相の総量に対して０〜２０％（ｗ／ｗ）、好ましくは、０．１〜１５％（ｗ／ｗ）、そしてとりわけ０．１〜１０％（ｗ／ｗ）の量の１種もしくは複数の乳化剤を含有することができる。
非イオン乳化剤
具体的な非イオン乳化剤は
（１）２〜５０モルのエチレンオキシドおよび／もしくは０〜２０モルのプロピレンオキシドの、８〜４０Ｃ−原子を有する線状脂肪アルコールへの、１２〜４０Ｃ−原子をもつ脂肪酸へのおよびアルキル残基中に８〜１５Ｃ−原子をもつアルキルフェノールへの付加生成物、
（２）１〜５０モルのエチレンオキシドとグリセリンの付加生成物のＣ１２／１８−脂肪酸モノ−および−ジエステル、
（３）６〜２２Ｃ−原子をもつ飽和および不飽和脂肪酸のグリセリンモノ−および−ジエステル並びにソルビタンモノ−および−ジエステル並びにそれらのエチレンオキシド付加生成物、
（４）アルキル残基中に８〜２２Ｃ−原子をもつアルキルモノ−および−オリゴグリコシドおよびそれらのエトキシル化類似体、
（５）７〜６０モルのエチレンオキシドのヒマシ油および／もしくは硬化ヒマシ油への付加生成物、
（６）ポリオール−および、とりわけポリグリセリンエステル、例えばポリオールポリ−１２−ヒドロキシステアレート、ポリグリセリンポリリシノレート、ポリグリセリンジイソステアレートもしくはポリグリセリンジメレート（幾つかのこれらの物質群の化合物の混合物も適用可能である）、
（７）２〜１５モルのエチレンオキシドのヒマシ油および／もしくは硬化ヒマシ油への付加生成物、
（８）線状、分枝鎖、不飽和もしくは飽和Ｃ６−Ｃ２２−脂肪酸、リシノ−ル酸並びに１２−ヒドロキシルテアリン酸およびグリセリン、ポリグリセリン、ペンタエリスライト、ジペンタエリスライト、糖アルコール（例えば、ソルビトール）、アルキルグルコシド（例えばメチルグルコシド、ブチルグルコシド、ラウリルグルコシド）、並びにポリグルコシド（例えばセルロース）、または混合エステル（例えばグリセリルステアレート／サイトレートおよびグリセリルステアレート／ラクテート）から誘導される部分エステル、
（９）羊毛ワックスアルコール、
（１０）ポリシロキサン−ポリアルキル−ポリエーテル・コポリマーおよびそれらの誘導体、
（１１）ペンタエリスライト、脂肪酸、クエン酸および脂肪アルコールからの混合エステル並びに／または６〜２２Ｃ−原子をもつ脂肪酸のメチルグルコースおよびポリオール、好ましくはグリセリンもしくはポリグリセリンとの混合エステル、
（１２）ポリアルキレングリコール、
を含んで成る。
【０２５１】
エチレンオキシドおよび／もしくはプロピレンオキシドの、脂肪アルコール、脂肪酸、アルキルフェノール、脂肪酸もしくはヒマシ油のグリセリンモノ−および−ジエステル並びにソルビタンモノ−および−ジエステルとの付加生成物は知られた、市販製品である。これらは通常、それらのアルコキシル化の平均度合いが、エチレンオキシドおよび／もしくはプロピレンオキシドと、それとともに付加反応が実施される基剤の出発量の比率に対応する同族体の混合物である。これらの製品はアルコキシル化度に応じて、Ｗ／Ｏ−もしくはＯ／Ｗ−乳化剤のいずれかである。グリセリンに対するエチレンオキシドの付加生成物のＣ１２／１８−脂肪酸モノ−および−ジエステルは化粧品適用における再脂肪化剤として知られている。
【０２５２】
特に有用な、穏やかな乳化剤はポリオールポリ−１２ヒドロキシステアレートおよびその他の成分とのその混合物であり、それらはＣｏｇｎｉｓ  Ｄｅｕｔｓｃｈｌａｎｄ  ＧｍｂＨから商品名”Ｄｅｈｙｍｕｌｓ（Ｒ）ＰＧＰＨ”（Ｗ／Ｏ−乳化剤）もしくは”Ｅｕｍｕｌｇｉｎ（Ｒ）ＶＬ７５”（ココ−グルコシドとの１：１ｗ／ｗ混合物、Ｏ／Ｗ−乳化剤）もしくはＤｅｈｙｍｕｌｓ（Ｒ）ＳＢＬ（Ｗ／Ｏ−乳化剤）として入手できる。これらの乳化剤のポリオール成分は少なくとも２、そしてとりわけ３〜１２、そして更にとりわけ３〜８のヒドロキシ基および２〜１２炭素原子を有する物質から誘導することができる。
【０２５３】
脂質相中に水溶性の有効成分および／もしくは少量の水を取り込むことが所望される場合には、非イオン性Ｏ／Ｗ−乳化剤（ＨＬＢ−値：８〜１８）の群から選択される乳化剤および／もしくは可溶化剤を添加することが有利である可能性がある。これらは例えば、対応する高いエトキシル化度、例えばＯ／Ｗ−乳化剤の場合には１０〜２０エチレンオキシド単位、そしていわゆる可溶化剤に対しては２０〜４０エチレンオキシド単位をもつ、既に記載のエチレンオキシド−付加物であることができる。Ｏ／Ｗ乳化剤としてはＣｅｔｅａｒｅｔｈ−１２およびＰＥＧ−２０ステアレートが特に魅力的である。特に魅力的な可溶化剤はＥｕｍｕｌｇｉｎ（Ｒ）ＨＲＥ  ４０（ＩＮＣＩ：ＰＥＧ−４０水素化ヒマシ油）、Ｅｕｍｕｌｇｉｎ（Ｒ）ＨＲＥ  ６０（ＩＮＣＩ：ＰＥＧ−６０水素化ヒマシ油）、Ｅｕｍｕｌｇｉｎ（Ｒ）Ｌ（ＩＮＣＩ：ＰＰＧ−１−ＰＥＧ−９ラウリルグリコールエーテル）およびＥｕｍｕｌｇｉｎ（Ｒ）ＳＭＬ２０（ＩＮＣＩ：ポリソルベート−２０）である。
【０２５４】
アルキルオリゴグリコシドの群の非イオン乳化剤は特に皮膚相容性であり、従ってＯ／Ｗ−乳化剤として好ましい。Ｃ８−Ｃ２２−アルキルモノ−および−オリゴグリコシド、それらの調製および使用は先行技術において記載されている。オリゴグリコシドは約８までのオリゴマー化度をもつオリゴマーのグリコシドを含んで成ることを意味する。オリゴマー化度はまた、具体的な範囲のオリゴグリコシドから成るこれらの製品のために使用される統計的な平均値であることができる。１例は１と２の間の平均オリゴマー化度を有するオリゴグルコシド残基にグリコシド結合されているＣ８−Ｃ１６−アルキル基を有する商品名Ｐｌａｎｔａｃａｒｅ（Ｒ）として市販の製品である。
【０２５５】
その他の非イオン乳化剤はアシルグルカミドである。アルキルポリグルコシドと脂肪アルコールの１：１−混合物である商品名Ｅｍｕｌｇａｄｅ（Ｒ）ＰＬ  ６８／５０（Ｃｏｇｎｉｓ  Ｄｅｕｔｓｃｈｌａｎｄ  ＧｍｂＨ）および、商品名Ｅｕｍｕｌｇｉｎ（Ｒ）ＶＬ  ７５として市販のラウリルグルコシド、ポリグリセリル−２−ジポリヒドロキシステアレート、グリセリンおよび水の混合物が好ましい。
【０２５６】
親油性Ｗ／Ｏ−乳化剤は原則的に、例えばＫｉｒｋ−Ｏｔｈｍｅｒ，’Ｅｎｃｙｃｌｏｐｅｄｉａ  ｏｆ  Ｃｈｅｍｉｃａｌ  Ｔｅｃｈｎｏｌｏｇｙ”，第３版、１９７９、第８巻、ｐ．９１３に記載の１〜８の範囲内のＨＬＢ−値をもつ乳化剤である。エトキシル化生成物のＨＬＢ−値は式：ＨＬＢ＝（１００−Ｌ）：５により計算され、ここでＬはエチレンオキシド付加物中の親油性基、すなわち脂肪アルキル−もしくは脂肪アシル基の百分率（重量％）である。
【０２５７】
特に魅力的なＷ／Ｏ乳化剤はポリオールの部分エステル、とりわけポリオール、更にとりわけＣ３−Ｃ６−ポリオールの脂肪酸とのモノ−、ジ−もしくはトリ−もしくはセスキエステルの部分エステル（例えばグリセリルモノエステル）、ペンタエリスライトの部分エステルもしくは炭水化物エステル（例えばサッカロースジステアレート）、またはソルビタンモノ−、ジ−、トリ−もしくはセスキ脂肪エステル、とりわけステアレート、オレエート、エルケート、リシノレート、ヒドロキシステアレート、イソステアレート（しかしまた：タートレート、サイトレート、マレエート）等である。これらのソルビタンエステルへの１〜３０、好ましくは５〜１０モルのエチレンオキシドの付加生成物も魅力的である。
両相のための更なる界面活性剤／乳化剤
本発明の製品の用途に応じて、脂質相および／もしくは水相は更に双イオン性、両性、カチオンおよび／もしくはアニオン界面活性剤を含有することができる。
【０２５８】
双イオン性界面活性剤は少なくとも１個の第四級アンモニウム基および少なくとも−ＣＯＯ（−）−もしくはＳＯ３（−）−基を含有する張力活性化合物である。特に有用な双イオン性界面活性剤は、アルキル−もしくはアシル基中にそれぞれ８〜１８Ｃ−原子を有する、いわゆるベタイン、例えばＮ−アルキル−Ｎ，Ｎ−ジメチルアンモニウムグリシネート、（例えばココ−アルキルジメチルアンモニウムグリシネート）、Ｎ−アシルアミノプロピル−Ｎ，Ｎ−ジメチルアンモニウムグリシネート（例えばココ−アシルアミノプロピルジメチルアンモニウムグリシネート）および２−アルキル−３−カルボキシルメチル−３−ヒドロキシエチルイミダゾリン並びにココ−アシルアミノエチルヒドロキシエチルカルボキシメチルグリシネートである。好ましい双イオン性界面活性剤はそのＩＮＣＩ−名のココアミドプロピルベタインにより知られる脂肪酸アミド−誘導体である。
【０２５９】
両性界面活性剤は更に、とりわけ共−界面活性剤として添加することができる。両性界面活性剤は、Ｃ８−Ｃ１８−アルキル−もしくはアシル基以外に少なくとも１個の遊離アミノ基および少なくとも１個の−ＣＯＯＨ−もしくは−ＳＯ３Ｈ−基を含有し、内部塩を形成することができる張力活性化合物を含んで成ると理解される。適当な両性界面活性剤の例は、各アルキル基中に約８〜１８Ｃ−原子をもつ、Ｎ−アルキルグリシン、Ｎ−アルキルプロピオン酸、Ｎ−アルキルアミノ酪酸（ｂｕｔｅｒｉｃ  ａｃｉｄｓ）、Ｎ−アルキルイミノジプロピオン酸、Ｎ−ヒドロキシエチル−Ｎ−アルキルアミドプロピルグリシン、Ｎ−アルキルタウリン、Ｎ−アルキルサルコシン、２−アルキルアミノプロピオン酸およびアルキルアミノ酢酸である。
【０２６０】
もっとも好ましい両性界面活性剤はＮ−ココ−アルキルアミノプロピオネート、ココ−アシルアミノエチルアミノプロピオネートおよびＣ１２−１８−アシルサルコシンである。
【０２６１】
アニオン界面活性剤は可水溶性化アニオン基（例えばカルボキシレート−、サルフェート−、スルホネート−もしくはホスフェート−基）および親油性残基を特徴としてもつ。具体的なアニオン界面活性剤は、１２〜１８Ｃ−原子を有する線状アルキル−もしくはアシル−基をもつアルキルサルフェート、アルキルエーテルサルフェート、アルキルエーテルカルボキシレート、アシルイセチオネート、アシルサルコシナート、アシルタウリンのアルカリ−、アンモニウム−もしくはアルカノールアンモニウム塩並びにスルホサクシネートおよびアシルグルタメートのアルカリ−もしくはアンモニウム塩である。
【０２６２】
第四級アンモニウム誘導体はとりわけカチオン性界面活性剤として使用することができる。アンモニウムハロゲン化物、とりわけ塩化物および臭化物、例えばアルキルトリメチルアンモニウムクロリド、ジアルキルジメチルアンモニウムクロリドおよびトリアルキルメチルアンモニウムクロリド、例えばセチルトリメチルアンモニウムクロリド、ステアリルトリメチルアンモニウムクロリド、ジステアリルジメチルアンモニウムクロリド、ラウリルジメチルアンモニウムクロリド、ラウリルジメチルベンジルアンモニウムクロリドおよびトリセチルメチルアンモニウムクロリドが好ましい。更なるカチオン界面活性剤は良好な生物学的崩壊性を有する第四級エステル、例えばジアルキルアンモニウム・メトサルフェートおよびメチルヒドロキシアルキルジアルキルオキシアルキルアンモニウムメトサルフェート（商品名Ｓｔｅｐａｎｔｅｘ（Ｒ）として、そしてＤｅｈｙｑｕａｒｔ（Ｒ）−シリーズの製品として販売されている）である。「第四級エステル」の用語は相、とりわけ脂質相の柔らかさに対して有効な影響を有する第四級化脂肪酸トリエタノールアミンエステル塩を含んで成ることを意味する。更なるカチオン界面活性剤は第四級化タンパク質加水分解物である。
【０２６３】
適用および特性
本発明に従う製品は有利には、とりわけ脂質相中に取り込まれる時に使用中に皮膚上に１種もしくは複数の有効成分の最適な放出をもたらす。
【０２６４】
有効成分の最適な放出は体温に等しいかもしくは僅かにそれより高い融点もしくは融解範囲を有する固体脂質である脂質相を使用することにより達成することができる。その理論に制約はされないが、これが、脂質相のより急速な融解をもたらして、有効物質の皮膚へのより急速な、より効率のよい移動および放出を引き起こすと考えられる。
【０２６５】
有効成分の最適な放出はまた、払拭物の使用中に一方の相もしくは両相中に適当な乳化剤を使用して、皮膚上に局所的乳化過程を誘起することにより達成することができる。乳化剤は好ましくは水相中に存在する。この局所的乳化は脂質相を融解させる体温の結果であるか、もしくは払拭物の使用中にかけられた圧力の結果であるか、もしくは後者が通常の場合であるが、その両方の結果であることができる。圧力の効果による局所的乳化の場合には、乳化過程は払拭物を適用する時に、例えば皮膚上にそれをこするか、軽くたたく等により使用者によりかけられる（限定された）圧力により促進される。これが２相を接触させ、局所的にエマルジョンを形成させる。
【０２６６】
この局所的乳化過程においては、乳化剤を伴なわずに限定された量の相が乳化剤を含む相中に取り込まれる。好ましい態様において、水相は少量の乳化剤を含有し、例えば乳化剤は約０．５〜約５％、更にとりわけ約１〜約３％の量で存在することができる。その場合には、いくらかの脂質相は水相中に局所的に乳化される。
【０２６７】
好ましい実施においては脂質相は払拭物の全面上には存在しないが、特に局所的乳化過程が働く時には、脂質相およびその中に含有される成分の良好な放出が達成される。
【０２６８】
有効成分の最適な放出はまた、前記の両者の可能性を使用することにより達成することができる。
製造
本発明は更に、前記方法は本明細書に記載のような脂質相組成物および水相組成物と多孔性もしくは吸収性シートを接触させることおよび製品を乾燥させることを含んで成る、本明細書に規定されたような製品の製法に関する。多孔性もしくは吸収性シートはとりわけ不織材料で製造される。この方法はシートを脂質相および水相と、同時にもしくは順次に接触させることを含んで成る。
【０２６９】
乾燥段階は工程中のどの時点でも適用することができるが、それは水相の適用後でなければならない。乾燥は通常の方法により、例えば熱気の適用により、または湿ったシートをオーブン中または加熱もしくは加温された輸送ローラー上を誘導することにより実施することができる。脂質相が乾燥の前に適用された場合は、空気の温度は脂質相が融解しないものでなければならない。この場合は外界温度の空気の適用が推奨される。
【０２７０】
具体的な実施において、その方法はシートを脂質相と、次に水相と接触させることを含んで成り、その後にこのようにして得た製品を乾燥する。
【０２７１】
もう１つの具体的な実施において、その工程はシートを水相と接触させ、次にこのように処理したシートを乾燥し、その後にこのように乾燥したシートを脂質相と接触させることを含んで成る。
【０２７２】
もう１つの具体的な実施において、工程はシートを水相と、次に脂質相と接触させ、その後にシートを乾燥することを含んで成る。
【０２７３】
脂質相および水相はシートの製造工程中のいつでもシートに適用することができ、例えば１相もしくは両相のいずれかをシート材料の製造工程中に適用することができる。好ましくは脂質相および／もしくは水相をシートの製造工程完了後に、より好ましくはシートが乾燥された後にシートに適用することができる。
【０２７４】
脂質相はまた、その製造直後のそれがまだ湿っている間にシート材料に適用することができる。
【０２７５】
２相は同時もしくは順次のいずれでもシートに適用することができる。
【０２７６】
具体的な実施において、シート材料をその横断サイズがティシュー、払拭物もしくは小型タオルのサイズと同様であるようなストリップに切断する。次に、脂質相および水相を、好ましくは最初に脂質相をそして次に水相を、これらのストリップに適用する。ストリップは前記に記載の方法を使用して、水相の適用後に乾燥することができる。その後、ストリップを当該技術分野で周知の、適用されている方法に従って折り畳む。
【０２７７】
それに代わる実施法においては、脂質相をこれらのストリップに適用し、次に折り畳み、このように畳まれたストリップを水相で湿らせ、ここで前記の湿らせることは好ましくは、噴霧もしくは滴下することまたは、水相を含有する浴中にストリップを浸漬するかまたはその中を通過させることを含んで成る。後者はまた、ストリップ上にを噴霧もしくは印刷することができる。ストリップは前記に記載の方法を使用して、水相の適用後に乾燥することができる。
【０２７８】
更なる段階において、ストリップを切断して、所望のサイズのシート、とりわけ払拭物を得る。それに代わる実施において、乾燥段階がこの切断段階の後に実施される。
【０２７９】
このように得られたシート（もしくは払拭物）は個別に包装するかまたは決められた数（例えば、１０と３０の間、好ましくは１５と２５の間の数、もっとも好ましくは約２０、あるいは５０と１００の間、好ましくは６０と８０の間の数、もっとも好ましくは約７２）に積み上げて、次に積み上げ物を適当な包装体（例えば、プラスチックの包装物、箱等）中に包装することができる。
【０２８０】
異なる被覆および／もしくは含浸を伴なう払拭物を１つの包装体に組み合わせることができる。例えば増加するもしくは減少する量の脂質相を含む払拭物の積み重ね体が存在することができる。あるいは着色もしくは無色の払拭物を交互にすることができる、例えば５枚毎に１枚の払拭物が着色ストリップを有する払拭物の包装物を提供することができる。
中間生成物
相を適用することの後者の好ましい様式において、第１段階において中間生成物が得られ、その生成物は本質的に乾燥した多孔性もしくは吸収性シートであり、それに脂質相を適用した。
【０２８１】
本明細書で使用される「本質的に乾燥した」の用語は前述である。
【０２８２】
具体的なこのような生成物は脂質相が前記に概説された好ましい組成物Ｉ、IIもしくはIIIを有するものである。これらの生成物は新規の生成物であると思われ、本発明の付加的特徴物を構成する。
【０２８３】
本質的に乾燥した、かつ前記に定義されたとおりの脂質相を含有する前記生成物は中間生成物として使用することができ、例えばそれらは貯蔵するかもしくは更なる処理のために他の場所に運搬することができる。それらはまた、消費者が例えば別個に販売することができるローションでこれらの生成物を処理するように指示される最終製品としての使用を見出すこともできる。あるいはそれらは例えば湿った皮膚上への使用のための乾燥払拭物として、それ自身で使用することができる。
【０２８４】
具体的な実施において、シート材料をその横断サイズがティシュー、払拭物もしくは小型タオルのサイズと同様であるようなストリップに切断する。次に、脂質相および水相を、好ましくは最初に脂質相をそして次に水相をこれらのストリップに適用する。その後、ストリップを当該技術分野で周知の、適用されている方法に従って折り畳む。それに代わる実施法においては、脂質相をこれらのストリップに適用し、次に折り畳み、このように畳んだストリップを水相で湿らせ、ここで前記の湿らせることは好ましくは、噴霧もしくは滴下することまたは、水相を含有する浴中にストリップを浸漬するかまたはその中を通過させることを含んで成る。後者はまた、ストリップ上にを噴霧もしくは印刷することができる。
【０２８５】
更なる段階において、ストリップを切断して、所望のサイズのシート、とりわけ払拭物を得る。このように得られたシート（もしくは払拭物）は個別に包装するかまたは決められた数（例えば、１０と３０の間、好ましくは１５と２５の間の数、もっとも好ましくは約２０、あるいは５０と１００の間、好ましくは６０と８０の間の数、もっとも好ましくは約７２）に積み上げて、次に積み上げ物を適当な包装体（例えば、プラスチックの包装物、箱等）中に包装することができる。
適用および利点
本発明の製品は主として最終製品としての使用を目的とする。この場合、消費者はこれらの製品を水もしくは、例えば別個に販売されている水性ローションで処理するように指示される。
【０２８６】
あるいは、それらは例えば湿った皮膚上への使用のための乾燥した払拭物として、それ自体で使用することができる。
【０２８７】
本発明に従う製品は赤子もしくは成人の払拭物の形態を採ることができ、例えば、赤子の清浄化用払拭物、顔面もしくは身体の払拭物、皮膚の処置もしくは皮膚の状態調整（例えば皮膚の湿潤化および皮膚老化に対する）のための払拭物、防虫用払拭物、粉末払拭物、トイレット用払拭物、制汗払拭物、剥離払拭物、日焼け後処置用払拭物、日焼け止め払拭物、女性衛生用払拭物、おむつかぶれ用払拭物（後者は好ましくは有効成分として酸化亜鉛を含有する）等を含んで成る私的手入れ用製品として広範な用途に使用することができる。
【０２８８】
本発明の製品は低い水分含量、製品の総重量に対して例えば１０％未満もしくはそれより低いｗ／ｗである水分含量を有する。低い水分を含む製品の例は湿った皮膚上への使用を目的とするいわゆる乾燥払拭物である。この種類の払拭物の適用の例はシャワー中もしくは入浴後の使用である。このような乾燥払拭物はまた、例えば水もしくは別個に提供される水性ローションで製品自体を湿らせた後の使用に推奨することができる。
【０２８９】
約５％〜約１０％の比較的高い水分含量を有する製品の例はおむつ中への挿入物としての適用を見いだすことができるいわゆる中間乾燥払拭物である。
【０２９０】
本発明の製品は清浄化手段としての使用を見いだすことができるが、それらの用途はこの適用のみに限定はされない。それらは水相のみを含有する製品に比してより有効な清浄化物であることが判明した。これはｉ．ａ．それらが水性および脂質双方の汚れおよび成分を除去することができる事実による。
【０２９１】
本明細書に記載の製品は有効物質、とりわけ本明細書で言及された有効物質の適用物としての使用を見いだすかまたはそれらは１製品中に清浄化物と有効物質の適用物の双方としての使用を見いだす。
【０２９２】
払拭物は伝統的には、主として清浄化手段として使用されてきた。有効物質のためのビヒクルとしての適用、すなわちいわゆる残留製品（ｌｅａｖｅ−ｏｎ  ｐｒｏｄｕｔｓ）は、払拭物から皮膚への有効成分の低い移動率のために限定されたものであった。本発明の製品は皮膚への有効成分の優れた移動をもたらし、それにより多数の有効物質、とりわけこれまで、低い移動率のために払拭物により適用することができなかった比較的高価な有効成分のためのビヒクルとして払拭製品の適用を広げる点で、この問題の解決を提供する。本発明の製品は皮膚へ有効成分のより効率の良い移動を提供するのみならず更に、皮膚上への有効物質のより均一な分配、より良い皮膚透過性のようなその他の消費者の恩典を提供する。
【０２９３】
本発明の製品はそれらが全く同一の製品中に洗浄能および皮膚に対する有効成分の移動、すなわち残留製品の適用の双方を合わせ持つことができる更なる利点を示す。
【０２９４】
双方のアスペクトのいずれかがより大きい程度に存在することができ、すなわち製品は主として洗浄の目的のためであるが、また皮膚への特定の有利な成分もしくは有効物質の移動能をも有するかまたはその反対に製品が、その主要な恩典が清浄化ではなく、残留製品の適用のより良い、より便利な形態である場合の適用を目指すことができる。従って、本発明の製品は２種の主要な消費者の需要−清浄化および手入れに対する可能性を最適化させる。
【０２９５】
従って本発明の製品は、双方の恩典を独立して、異なる相中に調製することができるために、清浄化および皮膚の手入れに関して改善された性能を示す。
【０２９６】
本発明の製品のもう１つの恩典はそれらが、脂質相の存在により誘起される布地表面の修飾による布地のより柔軟な感触を提供することである。製品は更に皮膚上への払拭物の少ない摩擦のためにより穏やかな清浄化（より柔い皮膚感触）をもたらす。
【０２９７】
本明細書で使用されるような、「柔さ（ｓｏｆｔｎｅｓｓ）」は消費者が製品を保持し、皮膚上をそれでこするかまたは手でそれをくしゃくしゃにする時に感知される触知感を意味する。
【０２９８】
本発明の製品は更に、２種以上の非相容性成分を１製品中に取り込むもしくはそれに適用する可能性を与え、それにより使用者に全く同一の製品により非相容性の薬剤を適用させる。とりわけ脂溶性成分と同様に水溶性成分を有する製品、例えば水溶性および油溶性双方の有効成分を含む払拭物をもつことができる。
【０２９９】
もっと更なる利点は、有効成分がシート／布地材料の表面上に集約され、具体的なｏ／ｗ−エマルションの内部相中には含まれないために、本発明の製品が皮膚上への有効成分の改善された移動を可能にする点にある。
【０３００】
本発明に従う製品およびとりわけ本明細書に記載の脂質相および水相の具体的な組成物は、それらがほとんど無臭で（香料が添加されていない限り）、環境に友好的で生物学的に崩壊可能であるという更なる利点を有する。
【０３０１】
本発明の製品は、それらが便利で早急な適用（運搬が容易）および製品のより容易でより均一な配布を許すために、特に魅力的である。それらは更に赤子および幼児への適用が容易である。本製品はより急速な清浄化を許す点でより効率的である。
【０３０２】
これらの有利な特性を考慮すると、本発明の製品は広範な化粧品および私的手入れ用適用に、しかしまた硬い表面の洗浄のようなその他の清浄化もしくは清浄化の適用にも使用することができる。
【０３０３】
実施例
下記の実施例はＩＮＣＩ命名法により与えられる。下記の実施例に使用されるようなＣ．Ｉ．は染料を表わす。
【実施例１】
【０３０４】
脂質相
相Ｉ−Ａ
ココグリセリド                          ６４．９９％
セチルアルコール                        ３３．００％
ジ−ステアリルエーテル                    １．００％
トコフェロール                            １．００％
Ｃ．Ｉ．６１５６５                        ０．０１％
相Ｉ−Ｂ
ココグリセリド                          ５４．９９％
セチルアルコール                        ３３．００％
セテアレス−１２                          ３．００％
グリセリルステアレート                    ４．００％
ジ−ステアリルカーボネート                ２．００％
トコフェロール                            １．００％
Ｃ．Ｉ．６１５６５                        ０．０１％
水                                        ２．００％
相Ｉ−Ｃ
ココグリセリド                          ４９．９９％
セテアリルアルコール                    ２０．００％
Ｃｅｇｅｓｏｆｔ（Ｒ）ＨＦ  ５２          ５．００％
Ｃｅｇｅｓｏｆｔ（Ｒ）ＰＳ  ６            ３．００％
セテアレス−１２                          ２．００％
グリセリルステアレート                    ２．００％
ＰＥＧ−２０ステアレート                １０．００％
ジ−ステアリルエーテル                    ２．００％
トコフェロール                            １．００％
Ｃ．Ｉ．６１５６５                        ０．０１％
水                                        ５．００％
相１−Ｄ
ココグリセリド                          ５８．９９％
グリセリルステアレート                  ２５．００％
グリセリルラウレート                    １４．００％
ジ−ステアリルカーボネート                １．００％
トコフェロール                            １．００％
Ｃ．Ｉ．７５３００                        ０．０１％
相１−Ｅ
ココグリセリド                          ３０．００％
セテアリルアルコール                      １．００％
Ｃｅｇｅｓｏｆｔ（Ｒ）ＨＦ  ５２        ２０．００％
Ｃｅｇｅｓｏｆｔ（Ｒ）ＧＰＯ              ５．００％
セテアレス−１２                        １５．００％
グリセリルステアレート                  ２０．００％
ジ−ステアリルエーテル                    ５．００％
トコフェロール                            １．００％
パンテノール                              １．００％
水                                        ２．００％
相１−Ｆ
ココグリセリド                          １９．９９％
セテアリルアルコール                    ３０．００％
Ｃｅｇｅｓｏｆｔ（Ｒ）ＰＳ  ６          １０．００％
Ｅｕｍｕｌｇｉｎ（Ｒ）ＶＬ  ７５        １０．００％
セテアレス−１２                          ５．００％
グリセリルステアレート                  １０．００％
ジ−ステアリルカーボネート                ５．００％
Ｔｏｓｐｅａｒｌ（Ｒ）１４５Ａ            ５．００％
ステアリン酸亜鉛                          ２．００％
Ｃ．Ｉ．６１５６５                        ０．０１％
水                                        ３．００％
相１−Ｇ
ミリスチルアルコール                    １９．９９％
ココグリセリド                          １０．００％
Ｃｅｇｅｓｏｆｔ（Ｒ）ＨＦ  ５２        ２０．００％
Ｅｕｍｕｌｇｉｎ（Ｒ）ＶＬ  ７５        １０．００％
グリセリルステアレート                  ２０．００％
ＰＥＧ−２０ステアレート                  ５．００％
ジ−ステアリルカーボネート                ２．００％
パンテノール                              ３．００％
Ｃ．Ｉ．６１５６５                        ０．０１％
水                                      １０．００％
相１−Ｈ
ミリスチルアルコール                    ４７．９９％
ステアリルアルコール                    ２５．００％
Ｅｕｍｕｌｇｉｎ（Ｒ）ＶＬ７５            ２．００％
ＰＥＧ−２０ステアレート                １４．００％
１，２−ヘキサデカンジオール              ５．００％
ビスアボロール                            １．００％
Ｃ．Ｉ．４７０００                        ０．０１％
水                                        ５．００％
相１−Ｉ
ココグリセリド                          ４７．９９％
ステアリルアルコール                    ２０．００％
Ｅｕｍｕｌｇｉｎ（Ｒ）ＶＬ  ７５          ２．００％
ＰＥＧ−２０ステアレート                １２．００％
ジ−ステアリルカーボネート                ５．００％
シクロメチコン                            ３．００％
Ｔｏｓｐｅａｒｌ（Ｒ）１４５  Ａ          ５．００％
Ｃ．Ｉ．７５３００                        ０．０１％
水                                        ５．００％
相１−Ｊ
ココグリセリド                          ５５．９９％
グリセリルステアレート                  ２０．００％
グリセリルラウレート                    １５．００％
ジ−ステアリルカーボネート                ５．００％
タルク                                    ２．００％
アルミナムデンプンオクテニルサクシネート  ２．００％
Ｃ．Ｉ．６０７２５                        ０．０１％
相１−Ｋ
ココグリセリド                                ５０．９９％
グリセリルステアレート                        ２５．００％
グリセリルラウレート                          １５．００％
ジ−ステアリルエーテル                          ５．００％
タルク                                          ２．００％
Ｔｉｍｉｒｏｎ（Ｒ）Ｓｐｌｅｎｄｉｄ  Ｇｏｌｄ  ２．００％
Ｃ．Ｉ．２１２３０                              ０．０１％
相１−Ｌ
ミリスチルアルコール                    ５８．９９％
ステアリルアルコール                    ２３．００％
ＰＥＧ−２０ステアレート                １５．００％
ジ−ステアリルカーボネート                ２．００％
パンテノール                              １．００％
Ｃ．Ｉ．６１５２５                        ０．０１％
相１−Ｍ
ミリスチルアルコール                    ４７．９９％
ステアリルアルコール                    ２５．００％
Ｅｕｍｕｌｇｉｎ（Ｒ）ＶＬ  ７５          ２．００％
ＰＥＧ−２０ステアレート                １０．００％
ジ−ステアリルエーテル                    ７．００％
パンテノール                              ２．００％
Ｃ．Ｉ．６１５２５                        ０．０１％
水                                        ６．００％
相１−Ｎ
ミリスチルアルコール                      ５０．００％
ステアリルアルコール                      ２５．００％
Ｅｕｍｕｌｇｉｎ（Ｒ）ＶＬ  ７５            ２．００％
ＰＥＧ−２０ステアレート                  １０．００％
ジ−ステアリルエーテル                      ７．００％
エチルブチルアセチルアミノプロピオネート    ５．００％
パンテノール                                １．００％
相１−Ｏ
ココグリセリド                            ５４．９９％
セチルアルコール                          ３３．００％
セテアレス−１２                            ３．００％
グリセリルステアレート                      ４．００％
ジ−ステアリルカーボネート                  ２．００％
オクチルメトキシシンナメート                ６．００％
Ｃ．Ｉ．６１５６５                          ０．０１％
相１−Ｐ
ココグリセリド                            ５６．９９％
グリセリルステアレート                    ２５．００％
グリセリルラウレート                      １４．００％
ジ−ステアリルカーボネート                  １．００％
ポリエチレン                                ３．００％
Ｃ．Ｉ．７５３００                          ０．０１％
相１−Ｑ
ココグリセリド                            ５８．９３％
グリセリルステアレート                    ２５．００％
グリセリルラウレート                      １５．００％
ジ−ステアリルエーテル                      １．００％
水                                          ０．０６％
Ｃ．Ｉ．６１５６５                          ０．０１％
相１−Ｒ
ココグリセリド                            ４３．９３％
ステアリルアルコール                      １５．００％
グリセリルステアレート                    ２５．００％
グリセリルラウレート                      １５．００％
ジ−ステアリルエーテル                      １．００％
水                                          ０．０６％
Ｃ．Ｉ．６１５６５                          ０．０１％
相１−Ｓ
ココグリセリド                            ４４．９３％
グリセリルステアレート                    ２５．００％
グリセリルラウレート                      １５．００％
ジ−ステアリルエーテル                    １５．００％
水                                          ０．０６％
Ｃ．Ｉ．６１５６５                          ０．０１％
【実施例２】
【０３０５】
水相
相２−Ａ
水                                                            ９６．３３６％
ポリソルベート２０                                              ０．６００％
ＰＥＧ−７５ラノリン                                            ０．１００％
香料                                                            ０．１５０％
ＰＥＧ−４０水素化ヒマシ油                                      ０．４００％
プロピレングリコール                                            １．１２０％
フェノキシエタノール                                            ０．８００％
四ナトリウムＥＤＴＡ                                            ０．０７８％
カモミラ・レキュチタ（Ｃｈａｍｏｍｉｌｌａ  Ｒｅｃｕｔｉｔａ）  ０．０７０％
エトキシジグリコール                                            ０．１７１％
ブチレングリコール                                              ０．０３５％
グルコース                                                      ０．０１６％
ヨードプロピニルブチルカルバメート                              ０．０１０％
ＰＥＧ−４ラウレート                                            ０．０９０％
クエン酸                                                        ０．０２０％
相２−Ｂ
水                                            ９８．２５２％
フェノキシエタノール                            ０．８００％
ヨードプロピニルブチルカルバメート              ０．０１０％
ＰＥＧ−４ラウレート                            ０．０９０％
香料                                            ０．１５０％
四ナトリウムＥＤＴＡ                            ０．０７８％
クエン酸                                        ０．０２０％
ポリソルベート２０                              ０．６００％
相２−Ｃ
水                                            ９７．２５０％
グリセリン                                      １．０００％
フェノキシエタノール                            ０．８００％
ヨードプロピニルブチルカルバメート              ０．０１０％
ＰＥＧ−４ラウレート                            ０．０９０％
香料                                            ０．１５０％
四ナトリウムＥＤＴＡ                            ０．０７８％
クエン酸                                        ０．０２０％
ポリソルベート２０                              ０．６００％
相２−Ｄ
水                                            ９６．３３２％
グリセリン                                      １．０００％
フェノキシエタノール                            ０．８００％
ポリソルベート２０                              ０．６００％
ＰＰＧ−１５ステアリルエーテル                  ０．４００％
ＰＥＧ−７グリセリルココエート                  ０．１００％
プロピレングリコール                            ０．３５０％
ヨードプロピニルブチルカルバメート              ０．０１０％
ＰＥＧ−４ラウレート                            ０．０９０％
カモミラ・レキュチタ                            ０．０７０％
香料                                            ０．１５０％
四ナトリウムＥＤＴＡ                            ０．０７８％
クエン酸                                        ０．０２０％
相２−Ｅ
水                                            ９７．３３％
フェノキシエタノール                            ０．８００％
ポリソルベート２０                              ０．６００％
ソルベス−３０                                  ０．４００％
プロピレングリコール                            ０．３５０％
ジメチコンコポリオール                          ０．１００％
ヨードプロピニルブチルカルバメート              ０．０１０％
ＰＥＧ−４ラウレート                            ０．０９０％
カモミラ・レキュチタ                            ０．０７０％
香料                                            ０．１５０％
四ナトリウムＥＤＴＡ                            ０．０７８％
クエン酸                                        ０．０２０％
相２−Ｆ
水                                            ９７．３３２％
フェノキシエタノール                            ０．８００％
ＰＥＧ−８０ソルビタンラウレート                ０．６００％
プロピレングリコール                            ０．３５０％
ソルベス−３０                                  ０．４００％
オクチルデカノール                              ０．１００％
ヨードプロピニルブチルカルバメート              ０．０１０％
ＰＥＧ−４ラウレート                            ０．０９０％
カモミラ・レキュチタ                            ０．０７０％
香料                                            ０．１５０％
四ナトリウムＥＤＴＡ                            ０．０７８％
クエン酸                                        ０．０２０％
相２−Ｇ
水                                            ９７．３３２％
フェノキシエタノール                            ０．８００％
ポリソルベート−２０                            ０．６００％
ＰＧＧ−１５ステアリルエーテル                  ０．４００％
プロピレングリコール                            ０．３５０％
デシルオレエート                                ０．１００％
ヨードプロピニルブチルカルバメート              ０．０１０％
ＰＥＧ−４ラウレート                            ０．０９０％
カモミラ・レキュチタ                            ０．０７０％
香料                                            ０．１５０％
四ナトリウムＥＤＴＡ                            ０．０７８％
クエン酸                                        ０．０２０％
相２−Ｈ
ナトリウムミレスサルフェート                  １０．００％
ラウリルグルコシド                            １５．００％
ココアミドプロピルベタイン                    １０．００％
水                                            ６４．５０％
香料                                            ０．５０％
相２−Ｉ
ナトリウムラウレスサルフェート                ２０．００％
デシルグルコシド                                ５．００％
ココアミドプロピルベタイン                      ８．００％
ラウレス−２                                    ２．５０％
ポリソルベート−２０                            １．００％
水                                            ６３．００％
香料                                            ０．５０％
相２−Ｊ
ナトリウムミレスサルフェート                  １５．００％
ラウリルグルコシド                            １０．００％
ラウレス−２                                    １．５０％
水                                            ７３．００％
香料                                            ０．５０％
相２−Ｋ
Ｅｍｕｌｇａｄｅ（Ｒ）ＣＭ                    ２０．００％
ポリソルベート−２０                            ０．８０％
ココ−グルコシド                                ２．５０％
フェノキシエタノール                            １．００％
セチルピリジニウムクロリド                      ０．１０％
四ナトリウムＥＤＴＡ                            ０．２０％
水                                            ７５．２２％
クエン酸                                        ０．０８％
香料                                            ０．１０％
相２−Ｌ
Ｅｍｕｌｇａｄｅ（Ｒ）ＳＥ−ＰＦ                １．６６％
セテアレス−１２                                ０．９４％
Ｌａｍｅｓｏｆｔ（Ｒ）ＰＯ  ６５                ０．２５％
流動パラフィン                                  ３．００％
セチルピリジニウムクロリド                      ０．０５％
ポリソルベート−２０                            １．００％
クエン酸                                        ０．０３％
四ナトリウムＥＤＴＡ                            ０．２０％
Ｎｉｐａｇｕａｒｄ（Ｒ）ＩＰＦ                  ０．１０％
水                                            ９２．６６％
香料                                            ０．１１％
相２−Ｍ
Ｅｍｕｌｇａｄｅ（Ｒ）ＳＥ−ＰＦ                １．６２７％
セテアレス−１２                                ０．９２１％
Ｌａｍｅｓｏｆｔ（Ｒ）ＰＯ  ６５                ０．２４５％
流動パラフィン                                  ２．９４０％
グリセリルポリメタクリレート                    ２．０００％
セチルピリジニウムクロリド                      ０．０４９％
ポリソルベート−２０                            ０．９８０％
クエン酸                                        ０．０２９％
四ナトリウムＥＤＴＡ                            ０．１９６％
Ｎｉｐａｇｕａｒｄ（Ｒ）ＩＰＦ                  ０．０９８％
水                                            ９０．８０７％
香料                                            ０．１０８％
【実施例３】
【０３０６】
５０ｇ／ｍ２の表面重量を有する布地から製造された乾燥されハイドロエンタングルシート材料をストリップに切断した。実施例１に示したように調製された脂質相を接触法を使用することにより縞の形態に、１．０ｇの総量を布地の両面に適用した。これは布地ストリップの片面上にそれぞれ固定されたスリット付きブレードを有する２個の加熱ヘッドに対して布地ストリップを走行させることを含んで成った。ストリップ上の脂質相を放置冷却して固化させ、次いで実施例２において調製されたような液体を通常の方法で縞に噴霧した。液体添加は１枚の払拭物当たり６ｇに設定した。次いでストリップをエアジェットの使用により乾燥し、空気温度はそれが脂質相の融点より低いようなものである。
【０３０７】
最後の段階において、ストリップを折り畳み、切断した。
【国際公開パンフレット】
2005508452.tif 000002
2005508452.tif 000003
2005508452.tif 000004
2005508452.tif 000005
2005508452.tif 000006
2005508452.tif 000007
2005508452.tif 000008
2005508452.tif 000009
2005508452.tif 000010
2005508452.tif 000011
2005508452.tif 000012
2005508452.tif 000013
2005508452.tif 000014
2005508452.tif 000015
2005508452.tif 000016
2005508452.tif 000017
2005508452.tif 000018
2005508452.tif 000019
2005508452.tif 000020
2005508452.tif 000021
2005508452.tif 000022
2005508452.tif 000023
2005508452.tif 000024
2005508452.tif 000025
2005508452.tif 000026
2005508452.tif 000027
2005508452.tif 000028
2005508452.tif 000029
2005508452.tif 000030
2005508452.tif 000031
2005508452.tif 000032
2005508452.tif 000033
2005508452.tif 000034
2005508452.tif 000035
2005508452.tif 000036
2005508452.tif 000037
2005508452.tif 000038
2005508452.tif 000039
2005508452.tif 000040
2005508452.tif 000041
2005508452.tif 000042
2005508452.tif 000043
2005508452.tif 000044
2005508452.tif 000045
2005508452.tif 000046
2005508452.tif 000047
2005508452.tif 000048
2005508452.tif 000049
2005508452.tif 000050
2005508452.tif 000051
2005508452.tif 000052
2005508452.tif 000053
2005508452.tif 000054
2005508452.tif 000055
2005508452.tif 000056
2005508452.tif 000057
2005508452.tif 000058
2005508452.tif 000059
2005508452.tif 000060
2005508452.tif 000061
2005508452.tif 000062
2005508452.tif 000063
2005508452.tif 000064
2005508452.tif 000065
2005508452.tif 000066
2005508452.tif 000067
2005508452.tif 000068
2005508452.tif 000069
2005508452.tif 000070
2005508452.tif 000071
2005508452.tif 000072
2005508452.tif 000073
2005508452.tif 000074
2005508452.tif 000075
2005508452.tif 000076
2005508452.tif 000077
2005508452.tif 000078
2005508452.tif 000079
2005508452.tif 000080
2005508452.tif 000081
2005508452.tif 000082
2005508452.tif 000083
2005508452.tif 000084
2005508452.tif 000085
2005508452.tif 000086
2005508452.tif 000087
2005508452.tif 000088
2005508452.tif 000089
2005508452.tif 000090
【国際調査報告】
2005508452.tif 000091
2005508452.tif 000092